(57)【要約】【課題】タッチ操作とジェスチャー操作とが可能なタッチパネルディスプレイを備える画像形成装置において、印刷設定画面を容易にカスタマイズする。【解決手段】画像形成装置のＣＰＵは、カスタマイズ設定された表示モードで印刷設定画面を表示するステップ（Ｓ１０００）と、ユーザによる入力を検出すると（Ｓ１０１０にてＹＥＳ）入力軌跡を分析するステップ（Ｓ１０２０）と、ジェスチャーによるプレビュー表示の変更要求であると（Ｓ１０６０にてＹＥＳ）プレビュー領域が大きいアイコンモードをカスタマイズ設定として記憶するステップ（Ｓ１０８０）と、アイコンモードで表示された印刷設定画面におけるプレビューを変更するステップ（Ｓ１１００）とを含む、プログラムを実行する。【選択図】図４
2011170574.tif 000002
【特許請求の範囲】
【請求項１】
制御対象装置に備えられる操作機器であって、
タッチパネルディスプレイと、
ユーザに報知する情報を表示するように、前記タッチパネルディスプレイを制御するための表示制御手段と、
ユーザが前記タッチパネルディスプレイに触れたことに応答して、前記制御対象装置への要求および前記タッチパネルディスプレイの表示態様の変更の要求のいずれかの要求を検出するように、前記タッチパネルディスプレイを制御するための入力制御手段とを含み、
前記入力制御手段は、
ユーザがタッチパネルディスプレイに触れた位置に基づいて前記要求を検出するための第１の入力制御手段と、
ユーザがタッチパネルディスプレイに触れた軌跡に基づいて前記要求を検出するための第２の入力制御手段とを含み、
前記第２の入力制御手段は、前記第１の入力制御手段により検出される要求と同じ要求を検出することができ、
前記表示制御手段は、
前記第１の入力制御手段に対応する第１の情報項目を表示するための手段と、
前記第２の入力制御手段に対応する第２の情報項目を表示するための手段と、
前記第２の入力制御手段によりユーザの要求を検出した場合には、前記第２の情報項目の表示態様を変更するための変更手段とを含む、操作機器。
【請求項２】
前記変更手段は、前記第２の情報項目を優先して表示するように変更するための手段を含む、請求項１に記載の操作機器。
【請求項３】
前記変更手段は、前記第２の情報項目の表示領域を拡大するように変更するための手段を含む、請求項１に記載の操作機器。
【請求項４】
前記第２の情報項目は、前記制御対象装置により処理が実行された結果を、実行前に予め表示するプレビュー項目であって、
前記変更手段は、前記第２の情報項目の表示領域が拡大されると、前記プレビュー項目を大きく表示するように変更するための手段を含む、請求項１に記載の操作機器。
【請求項５】
前記第２の情報項目は、前記制御対象装置により処理が実行された結果を、実行前に予め表示する複数のプレビュー項目であって、
前記変更手段は、前記第２の情報項目の表示領域が拡大されると、前記プレビュー項目を多く表示するように変更するための手段を含む、請求項１に記載の操作機器。
【請求項６】
前記第１の情報項目は、前記制御対象装置へ対する要求に対応した、アイコンボタンおよび前記アイコンボタンよりも大きく表示されるソフトウェアボタンのいずれかであって、
前記変更手段は、前記ソフトウェアボタンをアイコンボタンへ変更することにより、前記第２の情報項目の表示領域を拡大するように変更するための手段を含む、請求項１に記載の操作機器。
【請求項７】
前記変更された前記第２の情報項目の表示態様を元に戻して表示するように、前記タッチパネルディスプレイを制御するための手段をさらに含む、請求項１〜請求項６のいずれかに記載の操作機器。
【請求項８】
前記変更手段は、前記第１の入力制御手段によりユーザの要求を検出した履歴および前記第２の入力制御手段によりユーザの要求を検出した履歴に基づいて、前記第２の情報項目の表示態様を変更するための手段を含む、請求項１〜請求項７のいずれかに記載の操作機器。
【請求項９】
前記第１の入力制御手段によりユーザの要求を検出した履歴および前記第２の入力制御手段によりユーザの要求を検出した履歴に基づいて、前記タッチパネルディスプレイに表示される情報項目の表示態様についての設定を記憶するための手段をさらに含む、請求項１〜請求項８のいずれかに記載の操作機器。
【請求項１０】
前記履歴は、ユーザの操作嗜好を反映させた情報である、請求項８または請求項９に記載の操作機器。
【請求項１１】
請求項１〜請求項１０のいずれかに記載の操作機器を備えた電子機器。
【請求項１２】
請求項１〜請求項１０のいずれかに記載の操作機器を備えた画像処理装置。
【請求項１３】
制御対象装置に備えられる操作機器における操作方法であって、前記操作機器は、タッチパネルディスプレイと演算ユニットとを含み、
前記演算ユニットを用いて、ユーザに報知する情報を表示するように、前記タッチパネルディスプレイを制御する表示制御ステップと、
前記演算ユニットを用いて、ユーザが前記タッチパネルディスプレイに触れたことに応答して、前記制御対象装置への要求および前記タッチパネルディスプレイの表示態様の変更の要求のいずれかの要求を検出するように、前記タッチパネルディスプレイを制御する入力制御ステップとを含み、
前記入力制御ステップは、
ユーザがタッチパネルディスプレイに触れた位置に基づいて前記要求を検出する第１の入力制御ステップと、
ユーザがタッチパネルディスプレイに触れた軌跡に基づいて前記要求を検出する第２の入力制御ステップとを含み、
前記第２の入力制御ステップは、前記第１の入力制御ステップにて検出される要求と同じ要求を検出することができ、
前記表示制御ステップは、
前記第１の入力制御ステップに対応する第１の情報項目を表示するステップと、
前記第２の入力制御ステップに対応する第２の情報項目を表示するステップと、
前記第２の入力制御ステップによりユーザの要求を検出した場合には、前記第２の情報項目の表示態様を変更する変更ステップとを含む、操作方法。
【発明の詳細な説明】
【技術分野】
【０００１】
本発明は、ユーザインターフェイスとして機能する操作機器に関し、特に、１の操作デバイス（タッチパネルディスプレイ）に対して２以上の操作方法（たとえばジェスチャー操作／非ジャスチャー操作（後述するタッチ操作））を備える操作機器であって、ユーザの操作要求を的確に満足する操作機器に関する。また、本発明は、このような操作機器を備えた電子機器および画像処理装置ならびに操作方法にも関係がある。
【背景技術】
【０００２】
電子機器である画像処理装置の１種として、多くの事業所（会社、事務所等）に、記録用紙に画像を形成する画像形成装置（代表的にはコピー機）が導入されている。このような事業所において、プリンタ機能またはコピー機能等を備えた画像形成装置をネットワークに接続し、これらを複数のユーザで利用（共用）するケースが多くなっている。また、このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸまたはファクスと記載する場合がある。）、ネットワーク対応のプリンタモード、およびスキャナモードのように、複数の基本的な動作モードを備える。これらの画像形成装置においては、各々のユーザが、動作モードを選択して、両面印刷、集約（２ページを１枚にする２ｉｎ１、４ページを１枚にする４ｉｎ１）等の機能を設定して、所望の態様で記録用紙に画像を形成している。さらに、これらの複数の機能を適宜に組合せて利用されることも多くなってきている。
【０００３】
このような画像形成装置を利用する場合には、たとえば、ユーザはスキャナモードで画像データを入力して、操作パネルから様々な指示を入力して画像処理（集約等）を行ない、その結果を記録用紙に印刷している。その際、操作部および表示部である操作パネルは、画像形成装置とユーザとのインターフェイスとして機能する。操作パネルには、一般的に、各動作モードにおける機能の設定画面が表示されてユーザが各種の機能を容易に設定できるようになっていたり、ジョブ実行中はジョブの進行状況が表示されてユーザがジョブの進行状況を容易に把握できるようになっていたりする。データを外部機器から受信して実行されるプリンタモードに関しては、送信元の外部機器から受信したデータに応じてジョブの進行状況が表示される場合もある。
【０００４】
このような操作パネルとして、最近では、液晶パネル（表示パネル）にタッチパネルを重ねたタッチパネルディスプレイが用いられることが多くなっている。たとえば、このタッチパネルディスプレイに画像形成装置における動作モードを選択するための項目（ソフトウェアボタン）を表示して、その表示を見たユーザがタッチパネルディスプレイに表示された項目の位置を押圧して（ソフトウェアボタンを押圧して）、動作モードを設定する。
【０００５】
このようなタッチパネルディスプレイは、表示機能と操作機能とを兼用できるため、表示部と操作部とを別々に備えなくてもよい点で優れている。さらに、最近では、ユーザがタッチパネルディスプレイを指で押圧して動かした軌跡によりコマンドを選択できるようにすると、ユーザの感覚に関連してコマンドを選択できる点で優れている点が着目されている。このような軌跡によりコマンドを選択する例として以下のような操作がある。
【０００６】
たとえば、印刷プレビューとして、タッチパネルディスプレイに複数のページが表示されているときに、以下のような操作が行なわれる。あるページがプレビューされた位置で、指で軽く２回叩くユーザの操作（以下においてダブルタップと記載する場合がある。）によりそのページを拡大表示したり縮小表示したりするコマンドを選択したり、２本の指の間を広げるユーザの操作軌跡（以下においてピンチアウトまたはピンチオープンと記載する場合がある。）によりそのページを拡大表示するコマンドを選択したり、２本指の間を縮めるユーザの操作軌跡（以下においてピンチインまたはピンチクローズと記載する場合がある。）によりそのページを縮小表示するコマンドを選択したりできる。なお、以下においては、これらの操作をジェスチャー操作と記載するが、このジェスチャー操作は上述した操作に限定されるものではない。このジェスチャー操作には、タッチパネルディスプレイに表示された項目を指で軽く叩くタップ、項目を指でずらすドラッグ、項目をスクロールするときに指で軽くはらうフリック、２本の指でつまむピンチ等も含まれる。なお、タップおよびダブルタップについては、正確には、タッチパネルディスプレイに対するユーザの操作軌跡を検出するものではないが（軌跡ではなく位置を検出しているものに過ぎない）、本発明においては、他のジェスチャー操作との関係上、タップおよびダブルタップを含めて、ジェスチャー操作とはタッチパネルディスプレイに対するユーザの操作軌跡に基づいて、ユーザの要求を検出する操作であるとする。なお、ユーザの要求には、プレビューの表示態様の変更（たとえば単なる拡大表示）を要求するものと、印刷設定の変更（たとえば単なる拡大表示ではなく拡大してコピー）を要求するものとを含むものとする。
【０００７】
さらに、本発明においては、このようなジェスチャー操作以外の操作をタッチ操作と記載する。このタッチ操作は、タッチパネルディスプレイに対するユーザの操作位置に基づいて、ユーザの要求を検出する操作であるとする。このタッチ操作には、代表的には、ユーザがタッチパネルディスプレイに表示された項目の位置を押圧する（ソフトウェアボタンを押圧する）操作がある。
【０００８】
このようなタッチ操作およびジェスチャー操作が可能なタッチパネルディスプレイを操作パネルとして備えたＭＦＰにおいて、たとえば、余白サイズなどの各種画像処理に関する設定、スタンプ押印処理、ステープル処理またはパンチ孔あけ処理等の仕上げ処理をユーザは設定することができる。このような仕上げ機能を設定した印刷処理は、印刷結果を得るまで仕上がり状態をユーザは確認できない。このため、パンチ孔をあける仕上がり処理を設定して実際に印刷してみるとパンチ孔の位置と出力画像とが重なったミスコピーとなり、消耗品（トナーおよび記録用紙）を無駄に使用するという問題が発生し得る。
【０００９】
このような問題を解決するために、特開２００７−１８８０５４号公報（特許文献１）は、実際のコピー印刷に先だって、仕上がり状態のプレビュー画像を表示し、必要に応じて印刷の設定をユーザが変更することができる画像形成装置を開示する。
【００１０】
この画像形成装置は、画像データを入力する画像データ入力部と、サンプル画像データを予め記憶しておく画像記憶部と、サンプル画像データに対して各種設定情報に基づいて設定処理を施した仮の仕上がり情報を生成する仮仕上がり情報生成部と、仮の仕上がり情報に対する各種の設定入力を受け付ける設定処理項目を含む入力画面情報を生成する入力画面情報生成部と、仮の仕上がり情報および入力画面情報による入力画面を表示する表示部と、入力画面で受け付けた設定入力内容を、仮仕上がり情報生成部に対して出力して設定させる設定部と、仮の仕上がり情報に基づいて、画像データ入力部により入力された画像データの複写処理を実行する複写処理部とを備える。
【００１１】
この画像形成装置によると、サンプル画像データに基づく仮の仕上がり情報および入力画面情報による入力画面上で各種項目の設定処理を行ない、その設定を反映した仮の仕上がり情報が表示部に表示される。これにより、原稿をプレスキャンする必要がなくなることから、各種項目の設定処理の高速化を図ることができる。
【００１２】
また、特開２００３−３４５５０６号公報（特許文献２）は、画像形成するにあたりページ集約する場合に、ユーザが指でタッチパネルディスプレイを押圧しながら動かした軌跡により、ページ配列を判定するという、上述したジェスチャー操作に関係する技術が開示されている。
【先行技術文献】
【特許文献】
【００１３】
【特許文献１】特開２００７−１８８０５４号公報
【特許文献２】特開２００３−３４５５０６号公報
【発明の概要】
【発明が解決しようとする課題】
【００１４】
画像形成装置および画像処理装置を始めとして種々の電子機器においては、上述したように、操作機器としてタッチパネルディスプレイを備える。このようなタッチパネルディスプレイ（１つの操作デバイス）に対して、タッチ操作（ユーザがタッチパネルディスプレイを押圧した位置）および上述したジェスチャー操作（ユーザがタッチパネルディスプレイを押圧した軌跡）により、ユーザの要求を入力することができる。特許文献１においては、専らタッチ操作が用いられ、特許文献２においては、タッチ操作に加えてジェスチャー操作が用いられている。
【００１５】
このようなタッチパネルディスプレイに対して、タッチ操作を得意とするユーザと、ジェスチャー操作を得意とするユーザと、タッチ操作に不慣れなユーザと、ジェスチャー操作に不慣れなユーザとが存在する。すなわち、ユーザ毎に操作嗜好が異なる。さらに、タッチパネルディスプレイに表示される情報は、タッチ操作をユーザに求める画面とジェスチャー操作をユーザに求める画面とでは異なる場合が多い。このように、多くのユーザが共用する画像形成装置等の場合には、操作に対するユーザの嗜好性またはアクセシビリティを配慮するという観点においては、１つの操作デバイス（タッチパネルディスプレイ）に対して、複数の操作方法（タッチ操作／ジェスチャー操作）を提供することが望ましい。
【００１６】
しかしながら、このように構成すると、上述したように、１のコマンドを選択するために複数の操作が準備されているために、却って操作性を損なう可能性がある。特に、タッチ操作とジェスチャー操作とで表示される画面が異なる場合には、ユーザの操作嗜好がタッチパネルディスプレイの表示に合致していないと、ユーザは操作に戸惑う。これに加えて、このように複数の操作方法を準備すると、タッチパネルディスプレイに表示される項目が必要以上に多くなったり、画面遷移が増加したりするなど、操作性を損なう可能性がある。
【００１７】
このような問題に対して、特許文献１は、単にタッチ操作により印刷設定を行ない、サンプル画像を用いてプレビュー表示する技術を開示するに過ぎない。特許文献２は、ジャスチャー操作が開示されているのもの、ユーザの操作嗜好を考慮したユーザインターフェイスを開示するものではない。
【００１８】
さらに詳しくは、いずれの特許文献にも、ユーザの操作に基づいて、次の操作をユーザがより行ないやすくするために表示態様を変更したり、その操作の結果をユーザがより確認しやすくするために表示態様を変更したりすることについては、開示されていない。
【００１９】
従って、本発明は、１つのコマンドに対して複数の操作方法（タッチ操作およびジェスチャー操作）が提供される電子機器および画像処理装置（画像形成装置）において、ユーザが特別に設定することなく、ユーザが求める操作方法を優先させるようなカスタマイズを、容易に行なうことのできる技術を提供することを目的とする。
【課題を解決するための手段】
【００２０】
本発明のある局面に係る操作機器は、制御対象装置に備えられる。この操作機器は、タッチパネルディスプレイと、ユーザに報知する情報を表示するように、タッチパネルディスプレイを制御するための表示制御手段と、ユーザがタッチパネルディスプレイに触れたことに応答して、制御対象装置への要求およびタッチパネルディスプレイの表示態様の変更の要求のいずれかの要求を検出するように、タッチパネルディスプレイを制御するための入力制御手段とを含む。入力制御手段は、ユーザがタッチパネルディスプレイに触れた位置に基づいて要求を検出するための第１の入力制御手段と、ユーザがタッチパネルディスプレイに触れた軌跡に基づいて要求を検出するための第２の入力制御手段とを含む。この第２の入力制御手段は、第１の入力制御手段により検出される要求と同じ要求を検出することができる。表示制御手段は、第１の入力制御手段に対応する第１の情報項目を表示するための手段と、第２の入力制御手段に対応する第２の情報項目を表示するための手段と、第２の入力制御手段によりユーザの要求を検出した場合には、第２の情報項目の表示態様を変更するための変更手段とを含む。
【００２１】
この操作機器によると、ユーザがタッチパネルディスプレイに表示された第２の情報項目（たとえばタッチパネルディスプレイで拡大表示したい対象物または制御対象装置で拡大処理したい対象物）に従ってタッチパネルディスプレイに触れた軌跡に基づいて要求を検出する操作（上述したジェスチャー操作）を検出すると、このようなジェスチャーによる操作を好むと判定できる。この場合には、ジェスチャーによる操作を好むと判定できるので、ジェスチャー操作に対応する第２の情報項目の表示態様が変更される。このとき、第２の情報項目が大きくなるように、または、第２の情報項目の表示領域が大きくなるように、表示態様が変更される。また、ジェスチャー操作を伴わないでタッチパネルディスプレイに触れるだけの操作（タッチ操作）は、このユーザの操作嗜好に合致していないと判定して、タッチ操作に対応する第１の情報項目は相対的に小さく表示される（たとえば拡大メニューボタンが、より小さなアイコンボタンへ変更される）。このようにすると、ユーザの操作嗜好に従ったタッチパネルディスプレイの画面を容易に構成することができる。その結果、制御対象装置への１つの要求（１つのコマンド）に対して複数の操作方法（タッチ操作およびジェスチャー操作）が提供される場合において、ユーザが特別に設定することなく、ユーザが求める操作方法を優先させるようなカスタマイズを、容易に行なうことができる。
【００２２】
この操作機器の変更手段は、第２の情報項目を優先して表示するように変更するための手段を含むように構成することができる。変更手段は、第２の情報項目の表示領域を拡大するように変更するための手段を含むように構成することができる。
【００２３】
このようにすると、ユーザが好む操作方法に対応する第２の情報項目を優先して表示したり（相対的に第１の情報項目を小さく表示）、表示領域を拡大して表示したり（相対的に第１の情報項目の表示領域を縮小して表示）することができる。
【００２４】
第２の情報項目は、制御対象装置により処理が実行された結果を、実行前に予め表示するプレビュー項目であるように構成することができる。この場合において、変更手段は、第２の情報項目の表示領域が拡大されると、プレビュー項目を大きく表示するように変更するための手段を含むように構成することができる。
【００２５】
このようにすると、ジェスチャー操作するとその操作に対応する第２の情報項目であるプレビュー項目が大きく表示される。たとえば、この操作機器が画像形成装置に備えられる場合に、ジェスチャー操作で拡大コピーを要求すると、拡大コピーのプレビューが大きく表示される。ユーザは、タッチパネルディスプレイに表示されたプレビューを見て、自分が要求した処理の結果の確認作業を容易に行なうことができる。
【００２６】
第２の情報項目は、制御対象装置により処理が実行された結果を、実行前に予め表示する複数のプレビュー項目であるように構成することができる。この場合において、変更手段は、第２の情報項目の表示領域が拡大されると、プレビュー項目を多く表示するように変更するための手段を含むように構成することができる。
【００２７】
このようにすると、ジェスチャー操作するとその操作に対応する第２の情報項目であるプレビュー項目が多く表示される。たとえば、この操作機器が画像形成装置に備えられる場合に、ジェスチャー操作でページ順序を変更するように要求すると、入れ替えられたページを含めて多数のページがプレビューとして表示される。ユーザは、タッチパネルディスプレイに表示されたプレビューを見て、自分が要求した処理の結果を容易に確認することができる。
【００２８】
第１の情報項目は、制御対象装置へ対する要求に対応した、アイコンボタンおよびアイコンボタンよりも大きく表示されるソフトウェアボタンのいずれかであるように構成することができる。この場合において、変更手段は、ソフトウェアボタンをアイコンボタンへ変更することにより、第２の情報項目の表示領域を拡大するように変更するための手段を含むように構成することができる。
【００２９】
このようにすると、ジェスチャー操作されると、タッチ操作に対応する第１の情報項目であるソフトウェアボタンが、より小さなアイコンボタンへ変更される。このため、第１の情報項目の表示領域が小さくなり第２の情報項目の表示領域を拡大させることができる。
【００３０】
この操作機器は、変更された第２の情報項目の表示態様を元に戻して表示するように、タッチパネルディスプレイを制御するための手段をさらに含むように構成することができる。
【００３１】
このようにすると、タッチパネルディスプレイに表示される態様が自分の操作嗜好に合致していない場合には、容易に元に戻すことができる。
【００３２】
変更手段は、第１の入力制御手段によりユーザの要求を検出した履歴および第２の入力制御手段によりユーザの要求を検出した履歴に基づいて、第２の情報項目の表示態様を変更するための手段を含むように構成することができる。ここで、履歴は、ユーザの操作嗜好を反映させた情報であるように構成することができる。
【００３３】
このようにすると、ユーザの操作嗜好を反映させて、タッチパネルディスプレイの表示態様をカスタマイズすることができる。すなわち、あまり使用されない操作方法に対応する表示態様は、表示しないようにすることができる。
【００３４】
この操作機器は、第１の入力制御手段によりユーザの要求を検出した履歴および第２の入力制御手段によりユーザの要求を検出した履歴に基づいて、タッチパネルディスプレイに表示される情報項目の表示態様についての設定を記憶するための手段をさらに含むように構成することができる。ここで、履歴は、ユーザの操作嗜好を反映させた情報であるように構成することができる。
【００３５】
このようにすると、ユーザの操作嗜好を反映させて、タッチパネルディスプレイの表示態様についての設定をカスタマイズすることができる。すなわち、あまり使用されない操作方法に対応する表示態様は、設定されるように記憶しないようにして、表示しないようにすることができる。
【００３６】
本発明のさらに別の局面に係る電子機器は、上述した操作機器を備え、本発明のさらに別の局面に係る画像処理装置は、上述した操作機器を備える。
【００３７】
この電子機器および画像処理装置によると、タッチパネルディスプレイに対して複数の操作方法（ジェスチャー操作およびタッチ操作）が提供され各ユーザが異なる操作嗜好を有していても、ユーザが特別に設定することなく、ユーザが要求する操作方法を優先させて情報項目を表示するように、容易にカスタマイズできる。このような作用は、多くのユーザにより共用される電子機器または画像処理装置（画像形成装置）の場合において、特に有効となる。
【００３８】
本発明のさらに別の局面に係る操作方法は、制御対象装置に備えられる操作機器における操作方法である。この操作機器は、タッチパネルディスプレイと演算ユニットとを含む。この操作方法は、演算ユニットを用いて、ユーザに報知する情報を表示するように、タッチパネルディスプレイを制御する表示制御ステップと、演算ユニットを用いて、ユーザがタッチパネルディスプレイに触れたことに応答して、制御対象装置への要求およびタッチパネルディスプレイの表示態様の変更の要求のいずれかの要求を検出するように、タッチパネルディスプレイを制御する入力制御ステップとを含む。入力制御ステップは、ユーザがタッチパネルディスプレイに触れた位置に基づいて要求を検出する第１の入力制御ステップと、ユーザがタッチパネルディスプレイに触れた軌跡に基づいて要求を検出する第２の入力制御ステップとを含む。この第２の入力制御ステップは、第１の入力制御ステップにて検出される要求と同じ要求を検出することができる。表示制御ステップは、第１の入力制御ステップに対応する第１の情報項目を表示するステップと、第２の入力制御ステップに対応する第２の情報項目を表示するステップと、第２の入力制御ステップによりユーザの要求を検出した場合には、第２の情報項目の表示態様を変更する変更ステップとを含む。
【００３９】
このようにすると、複数の操作（ジェスチャー操作およびタッチ操作）が提供され各ユーザが異なる操作嗜好を有していても、ユーザが特別に設定することなく、ユーザが要求する操作を優先させるようなタッチパネルディスプレイの表示についてのカスタマイズを、容易に行なうことができる。
【発明の効果】
【００４０】
本発明によると、画像処理装置（画像形成装置）を含む電子機器において、１つのコマンドに対して複数の操作方法（タッチ操作およびジェスチャー操作）が提供される場合において、ユーザが特別に設定することなく、ユーザが要求する操作方法を優先させるようなカスタマイズを、容易に行なうことができる。
【図面の簡単な説明】
【００４１】
【図１】本発明の第１の実施の形態に係る画像形成装置の外観を示す斜視図である。
【図２】図１に示す画像形成装置の内部構成を簡略化して示す図である。
【図３】図１に示す画像形成装置のハードウェア構成を示す機能ブロック図である。
【図４】本発明の第１の実施の形態に係る画像形成装置において実行されるプログラムの制御構造を示すフローチャートである。
【図５】本発明の第１の実施の形態に係る画像形成装置の表示パネルに表示される画面例を示す図（その１）である。
【図６】本発明の第１の実施の形態に係る画像形成装置の表示パネルに表示される画面例を示す図（その２）である。
【図７】本発明の第１の実施の形態に係る画像形成装置の表示パネルに表示される画面例を示す図（その３）である。
【図８】本発明の第１の実施の形態に係る画像形成装置の表示パネルに表示される画面例を示す図（その４）である。
【図９】本発明の第１の実施の形態に係る画像形成装置の表示パネルに表示される画面例を示す図（その５）である。
【図１０】本発明の第１の実施の形態の変形例に係る画像形成装置において実行されるプログラムの制御構造を示すフローチャートである。
【図１１】本発明の第１の実施の形態の変形例に係る画像形成装置の表示パネルに表示される画面例を示す図（その１）である。
【図１２】本発明の第１の実施の形態の変形例に係る画像形成装置の表示パネルに表示される画面例を示す図（その２）である。
【図１３】本発明の第１の実施の形態の変形例に係る画像形成装置の表示パネルに表示される画面例を示す図（その３）である。
【図１４】本発明の第２の実施の形態に係る画像形成装置において実行されるプログラムの制御構造を示すフローチャートである。
【図１５】本発明の第２の実施の形態に係る画像形成装置の表示パネルに表示される画面例を示す図（その１）である。
【図１６】本発明の第２の実施の形態に係る画像形成装置の表示パネルに表示される画面例を示す図（その２）である。
【図１７】本発明の第２の実施の形態に係る画像形成装置の表示パネルに表示される画面例を示す図（その３）である。
【図１８】本発明の第２の実施の形態に係る画像形成装置の表示パネルに表示される画面例を示す図（その４）である。
【図１９】本発明の第２の実施の形態に係る画像形成装置の表示パネルに表示される画面例を示す図（その５）である。
【図２０】本発明の第２の実施の形態に係る画像形成装置の表示パネルに表示される画面例を示す図（その６）である。
【図２１】本発明の第３の実施の形態に係る画像形成装置において実行されるプログラムの制御構造を示すフローチャートである。
【図２２】本発明の第３の実施の形態に係る画像形成装置の表示パネルに表示される画面例を示す図（その１）である。
【図２３】本発明の第３の実施の形態に係る画像形成装置の表示パネルに表示される画面例を示す図（その２）である。
【発明を実施するための形態】
【００４２】
以下の実施の形態では、同一の部品には同一の参照番号を付してある。それらの機能および名称も同一である。従って、それらについての詳細な説明は繰返さない。
【００４３】
＜第１の実施の形態＞
本発明の第１の実施の形態に係る電子機器は、画像処理装置の１種である画像形成装置である。本発明に係る操作機器の適用は、このような画像形成装置以外の画像処理装置または電子機器であっても構わない。本実施の形態に係る電子機器は、１つのコマンドに対して複数の操作方法（タッチ操作およびジェスチャー操作）が提供され、ユーザが特別に設定することなく、ユーザが求める操作方法を優先させるようなカスタマイズを、容易に行なうことのできる操作機器を備えた装置でありさえすればよい。
【００４４】
なお、本実施の形態に係る画像形成装置１５０は、ジェスチャー操作方法とジェスチャー操作によらないタッチ操作方法とにより操作が可能である。この点で、本実施の形態に係る電子機器は、操作デバイスとして、これらの操作方法を実現するためのタッチパネルディスプレイを備える。
【００４５】
この画像形成装置は、電子写真方式により記録用紙に画像を形成する。この画像形成装置は、動作モードとして、コピーモード、ＦＡＸモード（表示パネルの表示は「ファクス／イメージ送信」）およびスキャナモード（表示パネルの表示は「ドキュメントファイリング」）を備える。なお、この画像形成装置は、さらにネットワークプリンタモードを備えていても構わない。しかしながら、本発明はこれに限定されず、コピーモードのみ、ＦＡＸモードのみ、スキャナモードのみまたはこれらの３つの動作モードの中の１つ以上の動作モードを備えた画像形成装置であれば構わない。また、印刷方式は電子写真方式に限定されない。
【００４６】
［画像形成装置：機能］
図１〜図３を参照して、本発明の実施の形態に係る画像形成装置１５０について説明する。図１は、画像形成装置１５０の外観構成を示す図である。図２は、画像形成装置１５０の内部構成を簡略化して示す図である。図３は、画像形成装置１５０の機能ブロック図である。
【００４７】
これらの図１〜図３を参照して、画像形成装置１５０は、原稿読取部１５２、画像形成部１５４、給紙部１５６、排紙処理装置１５８、および操作ユニット１７０を備える。操作ユニット１７０は、タッチパネルディスプレイ１７２と表示操作部１７４とで構成される。タッチパネルディスプレイ１７２は、液晶パネル等で構成された表示パネル１７２Ａと、表示パネル１７２Ａに重ねて配置されたユーザの指で押圧された位置を検出するタッチパネル１７２Ｂとで構成される。表示操作部１７４は、表示灯１７４Ａと、電源キー１７４Ｂと、省エネルギキー（以下「省エネキー」と記載）１７４Ｃと、ホームキー１７４Ｄとで構成される。
【００４８】
このように本実施の形態に係る画像形成装置１５０は、主たる操作デバイスとしてタッチパネルディスプレイ１７２を備えるとともに、ハードウェアキーおよび表示灯により構成される表示操作部１７４を備える。表示操作部１７４のキー（電源キー１７４Ｂ、省エネキー１７４Ｃ、ホームキー１７４Ｄ）は、タッチパネルディスプレイ１７２により構成されるソフトウェアボタンと対比して、ハードウェアボタンとして構成される点が特徴である。なお、画像形成装置１５０は、このような構成の表示操作部１７４を備えるものに限定されず、タッチパネルディスプレイ１７２を備え、そのタッチパネルディスプレイ１７２において、ジェスチャー操作およびタッチ操作の両方により、ユーザの要求を入力することができるものであれば構わない。このような画像形成装置１５０の動作モードについて説明する。
【００４９】
−コピーモード−
以下において、コピーモードでの動作説明を行なう。このコピーモードにおいては、主として、原稿読取部（以下、スキャナ部と記載する場合がある。）１５２および画像形成部１５４が動作することによりコピー機能が実現される。
【００５０】
画像形成装置１５０においては、原稿載置台に置かれた原稿が原稿読取部１５２により画像データとして読取られ、読取られた画像データが図３に示すマイクロコンピュータ等から構成されるＣＰＵ３００に入力され、ここで画像データに各種の画像処理が施され、この画像データが画像形成部１５４へと出力される。
【００５１】
画像形成部１５４は、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００５２】
画像形成部１５４には、主搬送路２３６および反転搬送路２３８が設けられており、給紙部１５６から給紙されてきた記録用紙が主搬送路２３６に沿って搬送される。給紙部１５６は、用紙カセット２４０に収納された記録用紙、または手差トレイ２４２に載置された記録用紙を１枚ずつ引出して記録用紙を画像形成部１５４の主搬送路２３６へと送り出す。
【００５３】
画像形成部１５４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００５４】
感光体ドラム２２２は、一方向に回転し、その表面は、クリーニング装置２３２と除電装置によりクリーニングされた後、帯電装置２２４により均一に帯電される。
【００５５】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５６】
現像装置２２８は、トナーを感光体ドラム２２２の表面に供給して静電潜像を現像し、トナー像を感光体ドラム２２２の表面に形成する。
【００５７】
転写装置２３０は、当該転写装置２３０と感光体ドラム２２２との間を通過していく記録用紙に感光体ドラム２２２の表面のトナー像を転写する。
【００５８】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００５９】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１５８の方へと導かれる。
【００６０】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１５８の方へと導かれる。
【００６１】
上述のようにして印刷された記録用紙は、排紙トレイ２４６または排紙処理装置１５８の方へと導かれて排紙トレイ２４６に排出され、または排紙処理装置１５８の各排紙トレイ１６８のいずれかに排出される。
【００６２】
排紙処理装置１５８では、複数の記録用紙を各排紙トレイ１６８に仕分けして排出する処理、各記録用紙にパンチングする処理、および各記録用紙にステープルする処理を施す。たとえば、複数部の印刷物を作成する場合は、各排紙トレイ１６８に印刷物の一部ずつが割り当てられるように、各記録用紙を各排紙トレイ１６８に仕分けして排出し、排紙トレイ１６８毎に、排紙トレイ１６８上の各記録用紙にパンチング処理またはステープル処理を施して印刷物を作成する。
【００６３】
−ファクシミリモード−
以下において、ファクシミリモードでの動作説明を行なう。このファクシミリモードにおいては、主として、送信動作は原稿読取部（スキャナ部）１５２およびＦＡＸ通信部１５５が動作することにより、受信動作はＦＡＸ通信部１５５および画像形成部１５４が動作することにより、ファクシミリ機能が実現される。
【００６４】
・送信動作
画像形成装置１５０においては、ファクシミリモードを指定して、原稿載置台に置かれた原稿が原稿読取部１５２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１５５）へと出力される。
【００６５】
送信側の画像形成装置１５０のＦＡＸ通信部１５５は、指定された送信側の回線を指定された送信先に接続して、画像データをファクシミリ通信規格に合致した通信データへ変換して、受信側のファクシミリ装置（たとえばファクシミリ機能を備えた画像形成装置１５０）へ送信する。
【００６６】
・通信動作
回線が接続されると、受信側の画像形成装置１５０のＦＡＸ通信部１５５は、送信側の画像形成装置１５０のＦＡＸ通信部１５５からの通信要求信号を検出して、応答信号を送信する。その後、たとえば、ＦＡＸ通信部１５５は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側の画像形成装置１５０のＦＡＸ通信部１５５から受信側の画像形成装置１５０のＦＡＸ通信部１５５へデータを送信する。送信が終了すると回線が切断される。
【００６７】
・受信動作
受信側の画像形成装置１５０のＦＡＸ通信部１５５は、受信したデータを画像データに変換して、画像形成部１５４へ送る。なお、受信したデータを画像データへ変換するのは画像形成部１５４であっても構わない。画像形成部１５４は、上述したコピーモードにおける動作と同じように、受信したデータから変換された画像データによって示される原稿の画像を記録用紙に印刷する。
【００６８】
−スキャナモード−
以下において、スキャナモードでの動作説明を行なう。このスキャナモードにおいては、主として、原稿読取部（スキャナ部）１５２が動作することによりスキャナ機能が実現される。
【００６９】
画像形成装置１５０においては、原稿載置台に置かれた原稿が原稿読取部１５２により画像データとして読取られ、読取られた画像データがＣＰＵ３００に入力され、ここで画像データに各種の画像処理が施され、この画像データが、この画像形成装置１５０が備える記憶装置（後述するハードディスク３０２）に記憶されたり、ネットワークに接続されたコンピュータへネットワークインターフェイス３０４を介して送信されたりする。
【００７０】
［画像形成装置：制御ブロック構成］
図３を参照して、画像形成装置１５０はさらに、コピーモード、ファクシミリモードおよびスキャナモードに関する機能の設定が可能な操作ユニット１７０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００７１】
画像形成装置１５０はさらに、原稿読取部１５２、画像形成部１５４、ＦＡＸ通信部１５５、操作ユニット１７０、ＲＯＭ３０６、ハードディスク３０２、およびＲＡＭ３０８に接続されるバス３１０と、バス３１０に接続された、画像形成装置としての一般的機能を実現するためのＣＰＵ３００とを含む。
【００７２】
ＲＯＭ３０６には、画像形成装置１５０の動作を制御するのに必要なプログラムおよびデータ等が記憶されている。ＣＰＵ３００は、ＲＯＭ３０６に格納されているプログラムおよびデータに従って画像形成装置１５０の制御を行なうとともに画像形成装置１５０の各機能に関する制御を実行する。
【００７３】
図３に示すように、この画像形成装置１５０のＦＡＸ通信部１５５には、画像データの送受信用に公衆回線が接続され、ネットワークインターフェイス３０４にはネットワーク回線が接続されている。このネットワーク回線には、この画像形成装置１５０をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１５０は、インターネットを介して、必要な情報を取得することができる。
【００７４】
ＲＡＭ３０８は、ＣＰＵ３００による演算および処理の結果を一時的に記憶するワーキングメモリとしての機能と、画像データを記憶するフレームメモリとしての機能とを提供する。
【００７５】
原稿読取部１５２、画像形成部１５４、操作ユニット１７０を構成するタッチパネルディスプレイ１７２および表示操作部１７４、ならびにＲＯＭ３０６、ハードディスク３０２、およびＲＡＭ３０８に対する制御は、ＣＰＵ３００が所定のプログラムを実行することにより行なわれる。なお、操作ユニット１７０は、入出力インターフェイスを介してＣＰＵ３００と通信する。
【００７６】
操作ユニット１７０は、ユーザが目視しやすいように傾斜して設けられた板状のパネルで構成される。操作ユニット１７０の表面には、その左側の領域にタッチパネルディスプレイ１７２が、右側の領域に表示操作部１７４（表示灯１７４Ａならびにハードウェアボタンである電源キー１７４Ｂ、省エネキー１７４Ｃおよびホームキー１７４Ｄ）が、備えられている。タッチパネルディスプレイ１７２および表示操作部１７４は、操作ユニット１７０が全体として一体となるように構成されている。
【００７７】
上述したように、このタッチパネルディスプレイ１７２は、表示パネル１７２Ａと、表示パネル１７２Ａに重ねて配置されたタッチパネル１７２Ｂとで構成される。このタッチパネルディスプレイ１７２においては、表示パネル１７２Ａに、この画像形成装置１５０における動作モードのメニュー、この画像形成装置１５０の現在の状態、宛先指定状況、ジョブの処理状況等が表示される。表示パネル１７２Ａの表示領域上にはソフトウェアボタンである選択ボタンが表示され、この選択ボタンの表示されている領域を指で押すと、タッチパネル１７２Ｂがその押された位置を検出する。プログラム上で、選択ボタンの表示位置とタッチパネル１７２Ｂが押された位置とを照合することにより、画像形成装置１５０の動作モード選択、機能設定および動作指示等が行なわれる。この画像形成装置１５０は、このようなタッチ操作（ユーザによる押圧位置に基づくコマンド入力操作）に加えて、上述したジェスチャー操作（ユーザによる操作軌跡に基づくコマンド入力操作）にも対応している。
【００７８】
また、表示操作部１７４の表示灯１７４Ａは、たとえばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源とは別に設けられた電源キー１７４Ｂをユーザが押下すると、この画像形成装置１５０が待機モード（たとえば主電源がオンの状態でＦＡＸ受信動作のみ可能）から通常モードへ移行して、この画像形成装置１５０の全ての動作モードが使用できるようになる。この状態に連動して表示灯１７４Ａが点灯する。さらに、ユーザが操作しない時間が予め定められた時間を経過したり、省エネキー１７４Ｃをユーザが押下したりすると、この画像形成装置１５０が通常モードから省エネモードへ移行して、この画像形成装置１５０の一部の動作モードしか使用できないようになる。この状態に連動して表示灯１７４Ａが点滅する。さらに、この省エネモードのときに、省エネキー１７４Ｃをユーザが押下すると、この画像形成装置１５０が省エネモードから通常モードへ移行する。ホームキー１７４Ｄは、タッチパネルディスプレイ１７２の表示を初期状態（ホーム画面）へ戻すためのハードウェアキーである。なお、電源キー１７４Ｂ、省エネキー１７４Ｃおよびホームキー１７４Ｄを押下したときの処理はこれらに限定されるものではない。
【００７９】
なお、表示操作部１７４のハードウェアボタン（電源キー１７４Ｂ、省エネキー１７４Ｃおよびホームキー１７４Ｄ）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００８０】
本実施の形態に係る画像形成装置１５０においては、上述した３つの動作モード（コピーモード、ＦＡＸモード（タッチパネルディスプレイ１７２の表示は「ファクス／イメージ送信」）およびスキャナモード（タッチパネルディスプレイ１７２の表示は「ドキュメントファイリング」）を備える。タッチパネルディスプレイ１７２には、それぞれの動作モードにおける機能設定用のソフトウェアボタンと、画像形成イメージであるプレビューとが表示される。このプレビューの表示モードとして、プレビュー領域が広いが機能がテキスト表示されないアイコンモードと、プレビュー領域が狭いが機能がテキスト表示される標準モードとがある。この画像形成装置１５０は、タッチパネルディスプレイ１７２に表示されたプレビューを見て機能を設定するユーザの操作に基づいて、ユーザが特別に設定することなく、ユーザの操作嗜好に合致した画面にカスタマイズするという本発明の本質的部分を備える。特に、この画像形成装置１５０においては、ユーザの操作に基づいて、次の操作をユーザがより行ないやすくするためにタッチパネルディスプレイ１７２の表示モードを変更したり、その操作の結果をユーザがより確認しやすくするためにタッチパネルディスプレイ１７２の表示モードを変更したりする。このような処理は、上述したハードウェア構成を用いて実行されるソフトウェアにより実現される。以下において、このソフトウェア構成について説明する。なお、表示モードはこれらのモードに限定されるものではない。
【００８１】
［ソフトウェア構成］
図４は、画像形成装置１５０のＣＰＵ３００で実行されるプログラムの制御構造を示すフローチャートである。なお、画像形成装置１５０のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【００８２】
図４を参照して、ステップ（以下、ステップをＳと記載する。）１０００にて、画像形成装置１５０のＣＰＵ３００（以下、単にＣＰＵ３００と記載する。）は、カスタマイズ設定された表示モードで、印刷設定画面（印刷についての機能設定画面）をタッチパネルディスプレイ１７２に表示する。
【００８３】
ここで、カスタマイズ設定された表示モードとは、タッチパネルディスプレイ１７２に印刷設定画面を表示するために設定されたモードであって、アイコンモードおよび標準モードのいずれかの表示モードがカスタマイズ設定としてハードディスク３０２に記憶されている。なお、カスタマイズ設定されるまでの非カスタマイズ状態（初期状態）においては、標準モードがカスタマイズ設定された表示モードとして、ハードディスク３０２に記憶されている。
【００８４】
この処理において、いずれの表示モードであっても、印刷前のプレビュー表示とともに、複数の機能設定ボタンがタッチパネルディスプレイ１７２に表示される。機能設定ボタンは、アイコンモードにおいては機能に対応する形状を模したアイコンのソフトウェアボタン（以下、「アイコンボタン」と記載する。）により、標準モードにおいては機能がテキストで表示された（アイコンよりも大きな）ソフトウェアボタン（以下、「テキストボタン」と記載する。）により、表示される。アイコンボタンの方がテキストボタンよりも小さいので、アイコンモードにおけるプレビュー表示領域の方が、標準モードにおけるプレビュー表示領域よりも大きい。
【００８５】
プレビュー表示領域をジェスチャー操作することにより、コマンドの対象とコマンドとを合わせて入力することができる。たとえば、プレビューとして、タッチパネルディスプレイ１７２に複数のページが表示されているときに、あるページがプレビューされた位置を２本の指の間を広げるピンチアウト（ピンチオープン）または指で軽く２回叩くダブルタップのジェスチャー操作することにより、コマンドの対象であるプレビューページとコマンドである拡大表示とを合わせて入力することができる。一方、タッチ操作する場合には、タッチパネルディスプレイ１７２にプレビュー表示されたページの位置を指でタッチ操作した後に（コマンドの対象を特定した後に）、拡大表示のアイコンボタンまたはテキストボタンをタッチ操作することにより、コマンドの対象であるプレビューページとコマンドである拡大表示とを入力することができる。
【００８６】
Ｓ１０１０にて、ＣＰＵ３００は、ユーザによる入力を検出したか否かを判定する。このとき、ＣＰＵ３００は、タッチパネルディスプレイ１７２に表示された項目をユーザが押圧したか否かに基づいて、ユーザによる入力を検出したか否かを判定する。このユーザによる入力には、ジェスチャー操作およびタッチ操作が含まれる。ユーザによる入力を検出したと判定されると（Ｓ１０１０にてＹＥＳ）、処理はＳ１０２０へ移される。もしそうでないと（Ｓ１０１０にてＮＯ）、この処理はＳ１０１０へ戻されて、ユーザによる入力を検出したと判定するまで待つ。
【００８７】
Ｓ１０２０にて、ＣＰＵ３００は、ユーザによる入力軌跡を分析する。このとき、ＣＰＵ３００は、タッチパネルディスプレイ１７２においてユーザの指により押圧された位置およびその位置の時間的な変化を検出して、タッチパネルディスプレイ１７２に表示されたプレビューおよびボタン（アイコンボタンおよびテキストボタン）の表示位置とタッチパネル１７２Ｂが押された位置およびその位置の移動とを照合することにより、タッチ操作されたか否か、ジェスチャー操作（タップ、ダブルタップ、ドラッグ、フリック、ピンチ、ピンチアウト、ピンチイン等）されたか否かを分析する。
【００８８】
Ｓ１０３０にて、ＣＰＵ３００は、ユーザによる操作が、ジャスチャーによる表示モード変更要求であるか否かを判定する。このとき、ＣＰＵ３００は、たとえば、タッチパネルディスプレイ１７２の端部に表示されたアイコンボタンを中央部へ向けてフリックしたと分析した場合には、ユーザによるジェスチャー操作は表示モードをアイコンモードから標準モードへ変更する要求であると判定し、その逆にフリックしたと分析した場合にはユーザによるジェスチャー操作は表示モードを標準モードからアイコンモードへ変更する要求であると判定する。ユーザによる操作がジャスチャーによる表示モード変更要求であると判定されると（Ｓ１０３０にてＹＥＳ）、処理はＳ１０４０へ移される。もしそうでないと（Ｓ１０３０にてＮＯ）、この処理はＳ１０６０へ移される。
【００８９】
Ｓ１０４０にて、ＣＰＵ３００は、ジェスチャーに従い、印刷設定画面の表示モードを変更する。Ｓ１０５０にて、ＣＰＵ３００は、変更された表示モードで、印刷設定画面をタッチパネルディスプレイ１７２に表示する。その後、この処理はＳ１１１０へ移される。
【００９０】
Ｓ１０６０にて、ＣＰＵ３００は、ユーザによる操作が、ジャスチャーによるプレビュー表示の変更要求であるか否かを判定する。このとき、ＣＰＵ３００は、たとえば、あるページがプレビューされた位置をピンチアウト（ピンチオープン）またはダブルタップしたと分析した場合には、ユーザによるジェスチャー操作はそのページを拡大表示する要求であると判定する。ユーザによる操作がジャスチャーによるプレビュー表示の変更要求であると判定されると（Ｓ１０６０にてＹＥＳ）、処理はＳ１０７０へ移される。もしそうでないと（Ｓ１０６０にてＮＯ）、この処理はＳ１０１０へ戻される。
【００９１】
Ｓ１０７０にて、ＣＰＵ３００は、カスタマイズ設定としてハードディスク３０２に記憶されているのはアイコンモードであるか否かを判定する。カスタマイズ設定がアイコンモードであると判定されると（Ｓ１０７０にてＹＥＳ）、処理はＳ１１００へ移される。もしそうでないと（Ｓ１０７０にてＮＯ）、この処理はＳ１０８０へ移される。
【００９２】
Ｓ１０８０にて、ＣＰＵ３００は、カスタマイズ設定としてアイコンモードをハードディスク３０２に記憶する。Ｓ１０９０にて、ＣＰＵ３００は、アイコンモードで印刷設定画面を表示する。
【００９３】
Ｓ１１００にて、ＣＰＵ３００は、ユーザのジェスチャーに従いプレビュー表示を変更して、タッチパネルディスプレイ１７２に表示する。その後、この処理はＳ１１１０へ移される。
【００９４】
Ｓ１１１０にて、ＣＰＵ３００は、印刷開始が入力されたか否かを判定する。このとき、ＣＰＵ３００は、タッチパネルディスプレイ１７２に表示された「印刷開始」ボタンが押下されると、印刷開始が入力されたと判定する。印刷開始が入力されたと判定されると（Ｓ１１１０にてＹＥＳ）、処理はＳ１１２０へ移される。もしそうでないと（Ｓ１１１０にてＮＯ）、この処理はＳ１０１０へ戻される。
【００９５】
Ｓ１１２０にて、ＣＰＵ３００は、指定されたドキュメントを、画像形成部１５４を用いて、記録用紙に印刷する。
【００９６】
［動作］
以上のような構造およびフローチャートに基づく、本実施の形態に係る画像形成装置１５０の動作について、図５〜図９に示すタッチパネルディスプレイ１７２の表示例を用いて説明する。
【００９７】
・表示モード（標準モード／アイコンモード）
本実施の形態に係る画像形成装置１５０の動作を説明する前に、動作モードがコピーモードである場合の印刷設定画面の表示モードについて説明する。図５は、タッチパネルディスプレイ１７２に印刷設定画面を標準モードで表示した場合の画面例であって、図６は、アイコンモードで表示した場合の画面例である。
【００９８】
これらの図５および図６に示すように、標準モードであってもアイコンモードであっても、タッチパネルディスプレイ１７２には、動作モード選択用のタグボタン（コピーモード選択タグボタン５００Ａ、ＦＡＸモード選択タグボタン５００Ｂおよびスキャナモード選択タグボタン５００Ｃ）と、ユーザが「印刷開始」を要求するソフトウェアボタン５７０とが表示される。
【００９９】
図５の標準モードにおいては、タッチパネルディスプレイ１７２には、機能選択用のテキストボタンとして、設定メニューボタン５１０Ａ、ページ拡大／縮小ボタン５１０Ｂ、ページ削除ボタン５１０Ｃ、ページ回転ボタン５１０Ｄ、エリア指定消去ボタン５１０Ｅ、およびページ順番入替ボタン５１０Ｆが表示される。このように、これらのボタンは、このコピーモードで選択可能な機能の名称をテキストとして表示したソフトウェアボタンである。
【０１００】
図６のアイコンモードにおいては、タッチパネルディスプレイ１７２には、機能選択用のアイコンボタンとして、設定メニューアイコンボタン５２０Ａ、ページ拡大／縮小アイコンボタン５２０Ｂ、ページ削除アイコンボタン５２０Ｃ、ページ回転アイコンボタン５２０Ｄ、エリア指定消去アイコンボタン５２０Ｅ、およびページ順番入替アイコンボタン５２０Ｆが表示される。これらのアイコンボタンは機能に対応する形状を模したアイコンのソフトウェアボタンで構成される。
【０１０１】
このように、アイコンボタンはテキストボタンに対応するものであって、テキストボタンよりも小さい。このため、アイコンモードにおけるプレビュー表示領域の方が、標準モードにおけるプレビュー表示領域よりも大きく、図６に示すプレビュー画像５６０は図５に示すプレビュー画像５５０よりも大きく表示したり（同じページ数を表示する場合）、多くのページを表示したり（同じ大きさで表示する場合）することが可能である。図６に示すプレビュー画像５６０は、図５と同じページ数でプレビュー表示する場合であって、図５に示すプレビュー画像５５０よりも大きく表示されている。
【０１０２】
なお、標準モードにおいても、アイコンモードにおいても、テキストボタンまたはアイコンボタンの表示領域を上方へフリックすることにより、表示されたテキストボタンまたはアイコンボタンをスクロールさせて、さらなるテキストボタンまたはアイコンボタンを表示させることができる。
【０１０３】
・ジェスチャー操作によるプレビュー表示拡大動作
タッチパネルディスプレイ１７２の表示画面がカスタマイズされるまで、および、アイコンモードがカスタマイズ設定としてハードディスク３０２に記憶されるまでは、図５に示すように、標準モードで印刷設定画面が表示される。
【０１０４】
このようにタッチパネルディスプレイ１７２に印刷設定画面が表示されている場合において、図７（Ａ）に示すように、プレビュー表示された３ページの中の真ん中のページがプレビューされた位置をユーザがピンチアウト（ピンチオープン）すると（Ｓ１０１０にてＹＥＳ）、入力軌跡が分析される（Ｓ１０２０）。このとき、このユーザによるジェスチャー操作はそのページを拡大表示する要求であると分析される。このジャスチャーは、表示モード変更要求でないので（Ｓ１０３０にてＮＯ）、ジャスチャーによるプレビュー表示の変更要求であるか否かが判定される（Ｓ１０６０）。このとき、ユーザは図７（Ａ）に示すように、プレビュー画像においてピンチアウト（ピンチオープン）するジェスチャー操作を行なったので、ジャスチャーによるプレビュー表示の変更要求であると判定される（Ｓ１０６０にてＹＥＳ）。
【０１０５】
カスタマイズ設定は標準モードであるので（Ｓ１０７０にてＮＯ）、カスタマイズ設定としてアイコンモードがハードディスク３０２に記憶され（Ｓ１０８０）、表示モードがアイコンモードで印刷設定画面が表示されるとともに（Ｓ１０９０）、入力されたジェスチャー操作に従ってプレビュー表示が変更される（Ｓ１１００）。このとき、タッチパネルディスプレイ１７２には、図７（Ｂ）に示す画面が表示される。
【０１０６】
図７（Ａ）から図７（Ｂ）へ画面が遷移することにより、コピーモードの印刷設定画面における機能選択用のテキストボタンがアイコンボタンへ変更されて、大きなプレビュー画像へ変更される（同じページ数をプレビュー表示すると想定）。
【０１０７】
このように動作した後に、さらに、印刷設定画面がタッチパネルディスプレイ１７２に表示される場合には、カスタマイズ設定されているので、図６に示すアイコンモードで印刷設定画面がタッチパネルディスプレイ１７２に表示される。このように、ユーザは、表示モードを切り換えるという操作を行なうことなく、大きなプレビュー画像をタッチパネルディスプレイ１７２に表示させることができる。
【０１０８】
このように動作することにより、ユーザのジェスチャー操作により、表示モードが変更されて、プレビュー画像が拡大して表示されるので、ユーザは表示モードを変更するように操作することなく、プレビュー画像を容易に確認することができる。
【０１０９】
・表示モードの変更動作（アイコンモードから標準モードへ）
図８（Ａ）に示すように、アイコンモードで印刷設定画面が表示されたタッチパネルディスプレイ１７２において、ユーザがタッチパネルディスプレイ１７２に表示されたアイコンボタンをタッチパネルディスプレイ１７２の中央部へ向けてフリックすると（Ｓ１０１０にてＹＥＳ）、入力軌跡が分析される（Ｓ１０２０）。このとき、このユーザによるジェスチャー操作は表示モードをアイコンモードから標準モードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードである標準モードで印刷設定画面がタッチパネルディスプレイ１７２に表示される（Ｓ１０５０）。このとき、タッチパネルディスプレイ１７２には、図８（Ｂ）に示す画面が表示される。
【０１１０】
図８（Ａ）から図８（Ｂ）へ画面が遷移することにより、コピーモードの印刷設定画面における表示モードがアイコンモードから標準モードへ変更され、機能選択用のアイコンボタンがテキストボタンへ変更されて、小さなプレビュー画像へ変更される（同じページ数をプレビュー表示すると想定）。
【０１１１】
このような動作により、表示モードの設定を、画面遷移に感覚的に対応するジェスチャー操作を行ない、機能選択用のアイコンボタン表示をテキストボタン表示へ変更することができる。
【０１１２】
・表示モードの変更動作（標準モードからアイコンモードへ）
図９（Ａ）に示すように、標準モードで印刷設定画面が表示されたタッチパネルディスプレイ１７２において、ユーザがタッチパネルディスプレイ１７２に表示されたテキストボタンをタッチパネルディスプレイ１７２の端部へ向けてフリックすると（Ｓ１０１０にてＹＥＳ）、入力軌跡が分析される（Ｓ１０２０）。このとき、このユーザによるジェスチャー操作は表示モードを標準モードからアイコンモードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードであるアイコンモードで印刷設定画面がタッチパネルディスプレイ１７２に表示される（Ｓ１０５０）。このとき、タッチパネルディスプレイ１７２には、図９（Ｂ）に示す画面が表示される。
【０１１３】
図９（Ａ）から図９（Ｂ）へ画面が遷移することにより、コピーモードの印刷設定画面における表示モードが標準モードからアイコンモードへ変更され、機能選択用のテキストボタンがアイコンボタンへ変更されて、大きなプレビュー画像へ変更される（同じページ数をプレビュー表示すると想定）。
【０１１４】
このような動作により、表示モードの設定を、画面遷移に感覚的に対応するジェスチャー操作を行ない、機能選択用のテキストボタン表示をアイコンボタン表示へ変更して、大きなプレビュー画像を表示することができる。
【０１１５】
以上のようにして、本実施の形態に係る画像形成装置によると、ユーザのジェスチャー操作に基づいて、次の操作であるプレビューによる印刷設定の確認作業をユーザがより行ないやすくするためにタッチパネルディスプレイの表示モードを容易に変更することができる。さらに、画面遷移のイメージに対応させたユーザのジェスチャー操作により、表示モードを変更することができる。
【０１１６】
なお、ユーザがジェスチャー操作（テキストボタンをフリック）により表示モードをアイコンモードへ変更することがない場合において、予め定められた期間においてジェスチャー操作（プレビューページをピンチアウト等）によるプレビュー表示の変更がなかったときには、標準モードへ移行するようにしても構わない。また、ユーザがジェスチャー操作によりプレビュー表示を変更する頻度が高いと判定されたときには、カスタマイズ設定としてアイコンモードをハードディスク３０２に記憶するようにしても構わない。さらに、このような予め定められた期間においてジェスチャー操作がないこと、または、ジェスチャー操作する頻度を、ユーザ毎に管理してカスタマイズ設定を記憶することも好ましい。これらは、ユーザの操作嗜好を反映させて、カスタマイズ設定を記憶することを目的として、ユーザがより使用しやすいようにしている。
【０１１７】
＜第１の実施の形態における変形例＞
以下に、上述した第１の実施の形態における変形例に係る電子機器について説明する。この電子機器も上述した画像形成装置１５０と同じであり、このような画像形成装置に本発明の電子機器が限定されないことも同じである。本変形例に係る画像形成装置１５０は、上述した第１の実施の形態においてＣＰＵ３００が実行したプログラムとは異なるプログラムを実行する。詳しくは、第１の実施の形態においては、ジェスチャー操作により表示モードを変更してプレビュー画像の表示態様を変更したが、本変形例においては、ジェスチャー操作により印刷設定を変更する。たとえば、プレビュー表示されたページの位置でユーザがピンチアウト（ピンチオープン）すると、入力軌跡が分析されて、ジェスチャー操作はそのページを拡大して印刷する要求であると分析されて、印刷設定が変更される。また、本変形例においては、このような印刷設定の変更をタッチ操作によっても実現する。このような処理は、上述した第１の実施の形態と同じハードウェア構成を用いて実行されるソフトウェアにより実現される。以下において、このソフトウェア構成について説明する。
【０１１８】
［ソフトウェア構成］
図１０は、画像形成装置１５０のＣＰＵ３００で実行されるプログラムの制御構造を示すフローチャートである。図１０は上述した図４に対応する。図１０に示すフローチャートにおけるステップで、図４に示したフローチャートと同じ処理については同じステップ番号を付してある。それらの処理は同じであるので、それらについての説明はここでは繰返さない。
【０１１９】
なお、画像形成装置１５０のＣＰＵ３００はこのようなプログラムと並行して画像形成装置としての一般的機能を実現するプログラムを実行する点、そのプログラムは本発明の本質的部分とは直接関係するものではないのでその詳細については説明しない点、ユーザにより選択された動作モードはコピーモードであるとして説明する点、他の動作モードが選択された場合であっても本発明の本質的部分は同じであり、動作モードの種類によらず本発明の本質的部分の適用が可能である点も、第１の実施の形態と同じである。
【０１２０】
図１０を参照して、Ｓ１５００にて、ＣＰＵ３００は、ユーザによる操作が、ジャスチャーによる印刷設定の変更要求であるか否かを判定する。このとき、ＣＰＵ３００は、たとえば、あるページがプレビューされた位置をピンチアウト（ピンチオープン）またはダブルタップしたと分析した場合には、ユーザによるジェスチャー操作はそのページを拡大コピーするように印刷設定を変更する要求であると判定する。ユーザによる操作がジャスチャーによる印刷設定の変更要求であると判定されると（Ｓ１５００にてＹＥＳ）、処理はＳ１５１０へ移される。もしそうでないと（Ｓ１５００にてＮＯ）、この処理はＳ１５２０へ移される。
【０１２１】
Ｓ１５１０にて、ＣＰＵ３００は、タッチパネルディスプレイ１７２を用いて入力されたユーザのジェスチャーに従い印刷設定を変更する。
【０１２２】
Ｓ１５２０にて、ＣＰＵ３００は、ユーザによる操作が、タッチによる印刷設定の変更要求であるか否かを判定する。このとき、ＣＰＵ３００は、たとえば、タッチパネルディスプレイ１７２にプレビュー表示されたページの位置がユーザの指によりタッチ操作された後に（印刷設定を変更する対象のページが選択された後に）、拡大コピーのアイコンボタンまたはテキストボタンがタッチ操作されたと分析した場合には、ユーザによるタッチ操作はそのページを拡大コピーするように印刷設定を変更する要求であると判定する。ユーザによる操作がタッチによる印刷設定の変更要求であると判定されると（Ｓ１５２０にてＹＥＳ）、処理はＳ１５３０へ移される。もしそうでないと（Ｓ１５２０にてＮＯ）、この処理はＳ１０１０へ戻される。
【０１２３】
Ｓ１５３０にて、ＣＰＵ３００は、タッチ操作されたアイコンボタンまたはテキストボタンに対応する印刷設定項目の設定画面をタッチパネルディスプレイ１７２に表示する。このとき、ＣＰＵ３００は、たとえば、設定画面としてポップアップ画面をタッチパネルディスプレイ１７２に表示する。
【０１２４】
Ｓ１５４０にて、ＣＰＵ３００は、タッチパネルディスプレイ１７２に表示された設定画面をユーザが操作して印刷設定項目の変更を入力したか否かを判定する。このとき、ＣＰＵ３００は、たとえば、ポップアップ画面に表示された拡大コピー率を示す「２００％」のソフトウェアボタンがダブルタッチされると、変更が入力されたと判定する。印刷設定項目の変更が入力されたと判定されると（Ｓ１５４０にてＹＥＳ）、処理はＳ１５５０へ移される。もしそうでないと（Ｓ１５４０にてＮＯ）、この処理はＳ１１１０へ移される。
【０１２５】
Ｓ１５５０にて、ＣＰＵ３００は、タッチパネルディスプレイ１７２を用いて入力されたユーザのタッチに従い印刷設定を変更する。その後、この処理はＳ１０７０へ移される。このようにＳ１５５０の処理後にＳ１０７０へ処理を移すことにより、タッチ操作により印刷設定変更が要求された場合であっても、アイコンモードでプレビューを表示することができるようになる。
【０１２６】
Ｓ１５６０にて、ＣＰＵ３００は、変更された印刷設定に従いプレビュー表示を変更して、タッチパネルディスプレイ１７２に表示する。このようにＳ１５１０（ジェスチャー操作の場合）またはＳ１５５０（タッチ操作の場合）の処理後にＳ１５６０の処理を実行するにより、ジェスチャー操作により印刷設定変更が要求された場合であっても、タッチ操作により印刷設定変更が要求された場合であっても、印刷設定が変更されたプレビュー画像を表示することができるようになる。その後、この処理はＳ１１１０へ移される。
【０１２７】
［動作］
以上のような構造およびフローチャートに基づく、本実施の形態に係る画像形成装置１５０の動作について、図１１〜図１３に示すタッチパネルディスプレイ１７２の表示例を用いて説明する。
【０１２８】
・ジェスチャー操作による印刷設定変更動作
この動作の説明においては、図７と対比しやすくするために、表示モードが標準モードで印刷設定画面がタッチパネルディスプレイ１７２に表示されているとする。
【０１２９】
このようにタッチパネルディスプレイ１７２に印刷設定画面が表示されている場合において、図１１（Ａ）に示すように、プレビュー表示された３ページの中の真ん中のページがプレビューされた位置をユーザがピンチアウト（ピンチオープン）すると（Ｓ１０１０にてＹＥＳ）、入力軌跡が分析される（Ｓ１０２０）。このとき、このユーザによるジェスチャー操作はそのページの印刷設定を拡大コピーに変更する要求であると分析される。このジャスチャーは、表示モード変更要求でないので（Ｓ１０３０にてＮＯ）、ジャスチャーによるプレビュー表示の変更要求であるか否かが判定される（Ｓ１５００）。このとき、ユーザは図１１（Ａ）に示すように、プレビュー画像においてピンチアウト（ピンチオープン）するジェスチャー操作を行なったので、ジャスチャーによる印刷設定の変更要求であると判定される（Ｓ１５００にてＹＥＳ）。
【０１３０】
カスタマイズ設定は標準モードであるので（Ｓ１０７０にてＮＯ）、カスタマイズ設定としてアイコンモードがハードディスク３０２に記憶され（Ｓ１０８０）、表示モードがアイコンモードで印刷設定画面が表示される（Ｓ１０９０）。
【０１３１】
入力されたジェスチャー操作に従って、真ん中のページの印刷設定が拡大コピーに変更され（Ｓ１５１０）、変更された印刷設定に従いプレビュー表示が変更される（Ｓ１５６０）。このとき、タッチパネルディスプレイ１７２には、図１１（Ｂ）に示す画面が表示される。
【０１３２】
図１１（Ａ）から図１１（Ｂ）へ画面が遷移することにより、コピーモードの印刷設定画面における機能選択用のテキストボタンがアイコンボタンへ変更されて、大きなプレビュー画像へ変更される（同じページ数をプレビュー表示すると想定）。図１１（Ａ）と図１１（Ｂ）とを比較すると、左ページおよび右ページは、同じ大きさの記録用紙および同じ大きさの原稿文字により表現されたプレビューであり、真ん中のページは、同じ大きさの記録用紙であるが、図１１（Ｂ）では拡大された原稿文字によりプレビューが表現されている。このように、真ん中のページの印刷設定が拡大コピーに変更されているので、図１１（Ｂ）に示すように、記録用紙の枠線（実線で示す）よりも原稿領域（点線で示す）が大きい。なお、このときの拡大コピーの拡大率は、たとえば、ユーザがピンチアウト（ピンチオープン）した幅に基づいて設定される。また、このとき、図１１（Ｂ）に示すように、拡大率（ここでは「１５０％」）を表示することも好ましい。なお、拡大された原稿のどの部分を印刷するのかを設定する方法については後述する。
【０１３３】
このように動作した後に、さらに、印刷設定画面がタッチパネルディスプレイ１７２に表示される場合には、カスタマイズ設定されているので、図１１（Ｂ）に示すアイコンモードで印刷設定画面がタッチパネルディスプレイ１７２に表示される。このように、ユーザは、表示モードを切り換えるという操作を行なうことなく、大きなプレビュー画像をタッチパネルディスプレイ１７２に表示させることができ、拡大コピー等の印刷設定を容易に確認することができる。
【０１３４】
このように動作することにより、ユーザのジェスチャー操作により、印刷設定が変更されて、表示モードが変更されて、プレビュー画像が拡大して表示されるので、ユーザは表示モードを変更するように操作することなく、プレビュー画像を用いて印刷設定を容易に確認することができる。
【０１３５】
・タッチ操作による印刷設定変更動作
図５に示すように、表示モードが標準モードで印刷設定画面がタッチパネルディスプレイ１７２に表示されている場合に、プレビュー表示された３ページの中の真ん中のページの位置をユーザがタッチした後に（印刷設定を変更する対象のページを選択した後に）、「ページ拡大／縮小」のテキストボタンをタッチすると（Ｓ１０１０にてＹＥＳ）、入力軌跡が分析される（Ｓ１０２０）。このとき、このユーザによる一連のタッチ操作はそのページの印刷設定を拡大／縮小コピーに変更する要求であると分析される。このジャスチャーは、表示モード変更要求でなく（Ｓ１０３０にてＮＯ）、プレビュー表示の変更要求でもないので（Ｓ１５００にてＮＯ）、タッチによる印刷設定の変更要求であるか否かが判定される（Ｓ１５２０）。このとき、ユーザは、図１２に示すように、プレビュー画像において印刷設定を変更するページをタッチして選択して（図１２においては選択状態を二重枠線で示す、以下同じ）、「ページ拡大／縮小」のテキストボタンをタッチしたので、タッチによる印刷設定の変更要求であると判定される（Ｓ１５２０にてＹＥＳ）。
【０１３６】
「ページ拡大／縮小」のテキストボタンの近傍にポップアップ形式で、タッチされた「ページ拡大／縮小」についての設定画面５８０が表示される（Ｓ１５３０）。設定画面５８０の「２００％」のソフトウェアボタンをユーザがダブルタッチすると、変更が入力されたと判定される（Ｓ１５４０にてＹＥＳ）。
【０１３７】
入力されたタッチ操作に従って、真ん中のページの印刷設定が拡大コピー（拡大率２００％）に変更され（Ｓ１５５０）、変更された印刷設定に従いプレビュー表示が変更される（Ｓ１５６０）。
【０１３８】
カスタマイズ設定は標準モードであるので（Ｓ１０７０にてＮＯ）、カスタマイズ設定としてアイコンモードがハードディスク３０２に記憶され（Ｓ１０８０）、表示モードがアイコンモードで印刷設定画面が表示される（Ｓ１０９０）。このとき、タッチパネルディスプレイ１７２には、表示モードが標準モードからアイコンモードへ変更された、図１３に示すページのように、拡大コピー対象のページが拡大して表示される。
【０１３９】
入力されたタッチ操作に従って、真ん中のページの印刷設定が拡大コピーに変更され（Ｓ１５５０）、変更された印刷設定に従いプレビュー表示が変更される（Ｓ１５６０）。
【０１４０】
このように動作することにより、ユーザのジェスチャー操作と同じようにして、ユーザのタッチ操作により、印刷設定が変更されて、表示モードが変更されて、プレビュー画像が拡大して表示される。このため、ユーザは表示モードを変更するように操作することなく、プレビュー画像を用いて印刷設定を容易に確認することができる。
【０１４１】
なお、上述した説明は、表示モードが標準モードである場合についての動作であるが、表示モードがアイコンモードの場合でも同様に動作する。このときのタッチパネルディスプレイ１７２の表示例であって図１２に対応する図は図１３である。この場合には、印刷設定画面がアイコンモードで表示されていたので、そのままのアイコンモードで、拡大コピー対象のページが拡大して表示される。
【０１４２】
このように動作することにより、ユーザのタッチ操作により、印刷設定が変更されて、表示モードが必要に応じて変更されて（アイコンモードで表示されている場合にはそのまま）、プレビュー画像が拡大して表示されるので、ユーザは表示モードを変更するように操作することなく、アイコンモードで大きく表示されたプレビュー画像を用いて印刷設定を容易に確認することができる。
【０１４３】
以上のようにして本変形例によると、ジェスチャー操作またはタッチ操作により印刷設定を変更することができるとともに、その印刷設定の変更をユーザが容易に確認することができる。
【０１４４】
なお、第１の実施の形態におけるプレビュー表示変更を要求するジャスチャー操作と、変形例における印刷設定変更を要求するジャスチャー操作とを分類して、第１の実施の形態とその変形例とを、適宜組み合わせるようにしても構わない。
【０１４５】
＜第２の実施の形態＞
以下に、本発明の第２の実施の形態に係る電子機器について説明する。第１の実施の形態と同様に、本実施の形態に係る電子機器は、画像処理装置の１種である画像形成装置である。本実施の形態においても、第１の実施の形態と同様に、本発明に係る操作装置の適用は、このような画像形成装置以外の画像処理装置または電子機器であっても構わない。
【０１４６】
本実施の形態に係る電子機器は、表示モードとして、上述した標準モードおよびアイコンモードに加えて、メニューモードを備える。このメニューモードは、プレビューがタッチパネルディスプレイに表示されるが、ユーザはその表示されたプレビューを基本的に確認することなく複数の印刷設定を一度に変更する場合に使用される。この操作のために、メニューモードにおいては、標準モードのテキストボタンよりも大きな設定メニュー画面がタッチパネルディスプレイ１７２の大部分の領域に表示される。
【０１４７】
本実施の形態に係る画像形成装置においては、このようなメニューモードを使用して印刷設定をまとめて変更したいユーザがメニューモードを選択した操作に基づいて、表示モードをアイコンモードまたは標準モードから自動的にメニューモードへ変更する。この場合において、上述した第１の実施の形態においては、１回でもジェスチャー操作されるとカスタマイズ設定をアイコンモードへ変更したが、本実施の形態においては、予め定められた回数だけメニューモードを選択する操作が行なわれるとカスタマイズ設定をメニューモードへ変更する。なお、このように、モードの選択回数を管理しておいて予め定められた回数だけ選択操作されるとカスタマイズ設定を変更することを、第１の実施の形態に適用しても構わない。
【０１４８】
なお、本実施の形態に係る電子機器は、印刷設定に関するコマンドに対して複数種類の操作画面（アイコンモード、標準モード、メニューモード）が提供され、ユーザが特別に設定することなく、ユーザが要求する操作画面を優先させるようなカスタマイズを、容易に行なうことのできる操作機器を備えた装置でありさえすればよい。
【０１４９】
画像形成装置（図１〜図３）については、上述した第１の実施の形態と同じであるため、ここでの詳細な説明は繰返さない。
【０１５０】
本実施の形態に係る画像形成装置１５０は、ＣＰＵ３００で実行されるプログラムの制御構造が、上述した第１の実施の形態と異なる。それ以外については上述した第１の実施の形態と同じである。それらの構造および作用は上述した第１の実施の形態と同じであるため、ここでの詳細な説明は繰返さない。
【０１５１】
［ソフトウェア構成］
図１４は、本実施の形態に係る画像形成装置１５０で実行されるプログラムの制御構造を示すフローチャートである。この図１４に示すフローチャートは、第１の実施の形態の図４のフローチャートに対応する。図１４に示すフローチャートは、図４に示すフローチャートにおける処理ステップにＳ２０００〜Ｓ２０７０の処理を追加したものである。図１４に示すフローチャートにおけるステップで、図４に示したフローチャートと同じ処理については同じステップ番号を付してある。それらの処理は同じであるので、それらについての説明はここでは繰返さない。
【０１５２】
上述した第１の実施の形態と同じように、画像形成装置１５０のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【０１５３】
図１４を参照して、Ｓ２０００にて、ＣＰＵ３００は、ユーザによる操作が、メニューによる印刷設定の変更要求であるか否かを判定する。このとき、ＣＰＵ３００は、タッチパネルディスプレイ１７２にプレビュー表示されたページの位置がユーザの指によりタッチ操作された後に（印刷設定を変更する対象のページが選択された後に）、たとえば「設定メニュー」のアイコンボタンまたはテキストボタンがタッチ操作されたと分析した場合には、ユーザによるタッチ操作は、設定メニュー画面を用いてそのページの印刷設定を変更する要求であると判定する。ユーザによる操作がメニューによる印刷設定の変更要求であると判定されると（Ｓ２０００にてＹＥＳ）、処理はＳ２０１０へ移される。もしそうでないと（Ｓ２０００にてＮＯ）、この処理はＳ１０１０へ戻される。
【０１５４】
Ｓ２０１０にて、ＣＰＵ３００は、印刷設定項目を一括して設定する設定メニュー画面をタッチパネルディスプレイ１７２に表示する。このとき、ＣＰＵ３００は、設定メニュー画面をタッチパネルディスプレイ１７２の大部分の領域に表示する。
【０１５５】
Ｓ２０２０にて、ＣＰＵ３００は、タッチパネルディスプレイ１７２に表示された設定メニュー画面をユーザが操作して印刷設定項目の変更の入力が完了したか否かを判定する。このとき、ＣＰＵ３００は、たとえば、設定メニュー画面に表示された「設定完了」のソフトウェアボタンがダブルタッチされると、変更の入力が完了したと判定する。印刷設定項目の変更の入力が完了したと判定されると（Ｓ２０２０にてＹＥＳ）、処理はＳ２０３０へ移される。もしそうでないと（Ｓ２０２０にてＮＯ）、この処理はＳ２０２０へ戻される。
【０１５６】
Ｓ２０３０にて、ＣＰＵ３００は、タッチパネルディスプレイ１７２に表示された設定メニュー画面を用いて入力されたユーザの操作に従い印刷設定を変更する。
【０１５７】
Ｓ２０４０にて、ＣＰＵ３００は、変更された印刷設定に従いプレビュー表示を変更して、タッチパネルディスプレイ１７２に表示する。
【０１５８】
Ｓ２０５０にて、ＣＰＵ３００は、設定メニュー画面を用いた印刷設定が予め定められた回数に到達したか否かを判定する。設定メニュー画面を用いた印刷設定が予め定められた回数に到達したと判定されると（Ｓ２０５０にてＹＥＳ）、処理はＳ２０６０へ移される。もしそうでないと（Ｓ２０５０にてＮＯ）、この処理はＳ１１１０へ移される。
【０１５９】
Ｓ２０６０にて、ＣＰＵ３００は、カスタマイズ設定としてハードディスク３０２に記憶されているのはメニューモードであるか否かを判定する。カスタマイズ設定がメニューモードであると判定されると（Ｓ２０６０にてＹＥＳ）、処理はＳ１１１０へ移される。もしそうでないと（Ｓ２０６０にてＮＯ）、この処理はＳ２０７０へ移される。
【０１６０】
Ｓ２０７０にて、ＣＰＵ３００は、カスタマイズ設定としてメニューモードをハードディスク３０２に記憶する。その後、この処理はＳ１１１０へ移される。
【０１６１】
［動作］
以上のような構造およびフローチャートに基づく、本実施の形態に係る画像形成装置１５０の動作について、図１５〜図２０に示すタッチパネルディスプレイ１７２の表示例を用いて説明する。
【０１６２】
・メニュー操作による印刷設定動作
タッチパネルディスプレイ１７２に印刷設定画面がアイコンモードで表示されている場合において、図１５（Ａ）に示すように、プレビュー表示された４ページの左端のページがプレビューされた位置をユーザがタッチした後に（印刷設定を変更する対象のページを選択した後に）、「設定メニュー」のアイコンボタンをタッチすると（Ｓ１０１０にてＹＥＳ）、入力軌跡が分析される（Ｓ１０２０）。このとき、このユーザによる操作は設定メニュー画面を用いてそのページの印刷設定を変更する要求であると分析される。このジャスチャーは、表示モード変更要求でなく（Ｓ１０３０にてＮＯ）、プレビュー表示の変更要求でもないので（Ｓ１０６０にてＮＯ）、メニューによる印刷設定の変更要求であるか否かが判定される（Ｓ２０００）。このとき、ユーザは、図１５（Ａ）に示すように、プレビュー画像において印刷設定を変更するページをタッチして選択して、「設定メニュー」のアイコンボタンをタッチしたので、メニューによる印刷設定の変更要求であると判定される（Ｓ２０００にてＹＥＳ）。
【０１６３】
メニューモードで印刷設定画面が表示され、タッチパネルディスプレイ１７２には設定メニュー画面が表示される（Ｓ２０１０）。このとき、図１５（Ｂ）に示すように、タッチパネルディスプレイ１７２には、印刷設定項目を設定する設定メニュー画面が表示される（Ｓ２０１０）。このとき、図１５（Ｂ）に示すように、プレビュー画像の一部が表示されている。
【０１６４】
たとえば、設定メニュー画面に表示された、ページ拡大／縮小の「２００％」をタッチして、ページ回転の「９０゜」をタッチして、「設定完了」のソフトウェアボタンをダブルタッチすると、変更の入力が完了したと判定される（Ｓ２０２０にてＹＥＳ）。設定メニュー画面を用いて入力されたユーザの操作に従い印刷設定が変更され（Ｓ２０３０）、変更された印刷設定に従ってプレビュー表示が変更される（Ｓ２０４０）。
【０１６５】
このような設定メニュー画面を用いた印刷設定が予め定められた回数に到達するまでは（Ｓ２０５０にてＮＯ）、カスタマイズ設定は、更新されないで、アイコンモードまたは標準モードを維持する。しかしながら、設定メニュー画面を用いた印刷設定が予め定められた回数に到達すると（Ｓ２０５０にてＹＥＳ）、カスタマイズ設定がメニューモードに設定されていなければ（Ｓ２０６０にてＮＯ）、カスタマイズ設定がメニューモードに設定されて、ハードディスク３０２に記憶される（Ｓ２０７０）。
【０１６６】
このように動作することにより、ユーザが設定メニュー画面を操作する回数が予め定められた回数に到達すると、表示モードが変更されて一括して印刷設定を変更できる、設定メニュー画面が表示されるので、ユーザは表示モードを変更するように操作することなく、印刷設定を容易に変更することができる。
【０１６７】
なお、上述した説明は、最初の表示モードがアイコンモードである場合についての動作であるが、最初の表示モードが標準モードの場合でも同様に動作する。このときのタッチパネルディスプレイ１７２の表示例であって図１５に対応する図を図１６に示す。この場合には、印刷設定画面が標準モードで表示されていたので、「設定メニュー」のテキストボタンをタッチすると、メニューによる印刷設定の変更要求であると判定される（Ｓ２０００にてＹＥＳ）。
【０１６８】
・表示モードの変更動作（メニューモードから標準モードおよびアイコンモードへ）
図１７（Ａ）に示すように、メニューモードで設定メニュー画面が表示されたタッチパネルディスプレイ１７２において、ユーザがタッチパネルディスプレイ１７２に表示された設定メニュー画面をタッチパネルディスプレイ１７２の端部へ向けてフリックすると（Ｓ１０１０にてＹＥＳ）、入力軌跡が分析される（Ｓ１０２０）。このとき、このユーザによるジェスチャー操作は表示モードをメニューモードから標準モードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードである標準モードで印刷設定画面がタッチパネルディスプレイ１７２に表示される（Ｓ１０５０）。このとき、タッチパネルディスプレイ１７２には、図１７（Ｂ）に示す画面が表示される。
【０１６９】
図１７（Ａ）から図１７（Ｂ）へ画面が遷移することにより、コピーモードの印刷設定画面における表示モードがメニューモードから標準モードへ変更され、設定メニュー画面が機能選択用のテキストボタンへ変更されて、プレビュー画像を表示する領域が広がる（同じ大きさのページをプレビュー表示すると想定）。
【０１７０】
このような動作により、表示モードの設定を、画面遷移に感覚的に対応するジェスチャー操作を行ない、設定メニュー画面を機能選択用のテキストボタン表示へ変更して、プレビュー画像を大きな領域で（より多くのページを）表示することができる。
【０１７１】
さらに、図１８（Ａ）に示すように、標準モードで印刷設定画面が表示されたタッチパネルディスプレイ１７２において、ユーザがタッチパネルディスプレイ１７２に表示されたテキストボタンをタッチパネルディスプレイ１７２の端部へ向けてフリックすると（Ｓ１０１０にてＹＥＳ）、入力軌跡が分析される（Ｓ１０２０）。このとき、このユーザによるジェスチャー操作は表示モードを標準モードからアイコンモードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードであるアイコンモードで印刷設定画面がタッチパネルディスプレイ１７２に表示される（Ｓ１０５０）。このとき、タッチパネルディスプレイ１７２には、図１８（Ｂ）に示す画面が表示される。
【０１７２】
図１８（Ａ）から図１８（Ｂ）へ画面が遷移することにより、コピーモードの印刷設定画面における表示モードが標準モードからアイコンモードへ変更され、機能選択用のアイコンボタンがテキストボタンへ変更されて、プレビュー画像を表示する領域が広がる（ここでは図９と異なり同じ大きさのページを多くプレビュー表示すると想定）。
【０１７３】
このような動作により、表示モードの設定を、画面遷移に感覚的に対応するジェスチャー操作を行ない、機能選択用のテキストボタン表示をアイコンボタン表示へ変更して、プレビュー画像を大きな領域で（より多くのページを）表示することができる。
【０１７４】
・表示モードの変更動作（アイコンモードから標準モードおよびメニューモードへ）
図１９（Ａ）に示すように、アイコンモードで印刷設定画面が表示されたタッチパネルディスプレイ１７２において、ユーザがタッチパネルディスプレイ１７２に表示されたアイコンボタンをタッチパネルディスプレイ１７２の中央部へ向けてフリックすると（Ｓ１０１０にてＹＥＳ）、入力軌跡が分析される（Ｓ１０２０）。このとき、このユーザによるジェスチャー操作は表示モードをアイコンモードから標準モードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードである標準モードで印刷設定画面がタッチパネルディスプレイ１７２に表示される（Ｓ１０５０）。このとき、タッチパネルディスプレイ１７２には、図１９（Ｂ）に示す画面が表示される。
【０１７５】
図１９（Ａ）から図１９（Ｂ）へ画面が遷移することにより、コピーモードの印刷設定画面における表示モードがアイコンモードから標準モードへ変更され、機能選択用のアイコンボタンがテキストボタンへ変更されて、プレビュー画像を表示する領域が狭まり、４ページ分のプレビュー表示が３ページ分のプレビュー表示へ変更される（同じ大きさのページをプレビュー表示すると想定）。
【０１７６】
このような動作により、表示モードの設定を、画面遷移に感覚的に対応するジェスチャー操作を行ない、機能選択用のアイコンボタン表示をテキストボタン表示へ変更することができる。
【０１７７】
さらに、図２０（Ａ）に示すように、標準モードで印刷設定画面が表示されたタッチパネルディスプレイ１７２において、ユーザがタッチパネルディスプレイ１７２に表示されたテキストボタンをタッチパネルディスプレイ１７２の中央部へ向けてフリックすると（Ｓ１０１０にてＹＥＳ）、入力軌跡が分析される（Ｓ１０２０）。このとき、このユーザによるジェスチャー操作は表示モードを標準モードからメニューモードへ変更する要求であると分析される。このジャスチャーは、表示モード変更要求であるので（Ｓ１０３０にてＹＥＳ）、ジャスチャーに従い、印刷設定画面の表示モードが変更され（Ｓ１０４０）、変更された表示モードであるメニューモードの設定メニュー画面がタッチパネルディスプレイ１７２に表示される（Ｓ１０５０）。このとき、タッチパネルディスプレイ１７２には、図２０（Ｂ）に示す画面が表示される。
【０１７８】
図２０（Ａ）から図２０（Ｂ）へ画面が遷移することにより、コピーモードの印刷設定画面における表示モードが標準モードからメニューモードへ変更され、機能選択用のテキストボタンが設定メニュー画面へ変更されて、プレビュー画像を表示する領域が狭まり、３ページ分のプレビュー表示が１ページ分のプレビュー表示へ変更される（同じ大きさのページをプレビュー表示すると想定）。
【０１７９】
このような動作により、表示モードの設定を、画面遷移に感覚的に対応するジェスチャー操作を行ない、機能選択用のテキストボタン表示を設定メニュー画面表示へ変更することができる。
【０１８０】
以上のようにして、本実施の形態に係る画像形成装置によると、ユーザの操作に基づいて、次の操作である印刷設定の入力作業をユーザがより行ないやすくするためにタッチパネルディスプレイの表示モードを容易に変更することができる。さらに、画面遷移のイメージに対応させたユーザのジェスチャー操作により、表示モードを変更することができる。
【０１８１】
ここで、プレビュー表示領域が大きく変更されたときに、１ページを大きく表示させることを優先させるのか、同じ大きさのままで多くのページを表示させることを優先させるのかについては、予め設定しておくことが考えられる。さらに、後述する第３の実施の形態のようにジェスチャー操作に応じて、いずれを優先させるのかを切り換えて、プレビュー表示するようにしてもよい。
【０１８２】
なお、ユーザがジェスチャー操作（テキストボタンをフリック）により表示モードをメニューモードへ変更することがない場合において、予め定められた期間においてメニューモードを用いた操作がなかったときには、標準モード（またはアイコンモード）へ移行するようにしても構わない。また、ユーザがメニューモードでの操作により印刷設定を変更する頻度（上述のように回数ではなく頻度）が高いと判定されたときには、カスタマイズ設定としてメニューモードをハードディスク３０２に記憶するようにしても構わない。さらに、このような予め定められた期間においてメニューモードを用いた操作がないこと、または、メニュー操作する頻度を、ユーザ毎に管理してカスタマイズ設定を記憶することも好ましい。これらは、ユーザの操作嗜好を反映させて、カスタマイズ設定を記憶することを目的として、ユーザがより使用しやすいようにしている。
【０１８３】
さらに、アイコンモードにおいて、ユーザがタッチパネルディスプレイ１７２に表示されたアイコンボタンをタッチパネルディスプレイ１７２の中央部へ向けて大きくフリックすると、標準モードを経由することなくメニューモードへ移行するようにしても、構わない。また、この逆に、メニューモードにおいて、ユーザがタッチパネルディスプレイ１７２に表示された設定メニュー画面をタッチパネルディスプレイ１７２の端部へ向けて大きくフリックすると、標準モードを経由することなくアイコンモードへ移行するようにしても、構わない。さらに、大きくフリックする代わりに、アイコンモードからメニューモードへ移行するソフトウェアボタンまたはメニューモードからアイコンモードへ移行するソフトウェアボタンを、設けるようにしても構わない。
【０１８４】
＜第３の実施の形態＞
以下に、本発明の第３の実施の形態に係る電子機器について説明する。第１の実施の形態および第２の実施の形態と同様に、本実施の形態に係る電子機器は、画像処理装置の１種である画像形成装置である。本実施の形態においても、第１の実施の形態および第２の実施の形態と同様に、本発明に係る操作装置の適用は、このような画像形成装置以外の画像処理装置または電子機器であっても構わない。
【０１８５】
本実施の形態に係る電子機器は、表示モードとして、上述した標準モードおよびアイコンモードを備える。ユーザによるジェスチャー操作に基づく印刷設定の変更要求が、単数ページに対する画像編集要求であるのか、複数ページに対するページ編集要求であるのかに基づいて、プレビューの表示態様を変更する。この場合において、ジェスチャー操作により表示モードが標準モードからアイコンモードへ変更されてプレビューの表示領域が大きくなった場合に、画像編集要求であるとページ数を削減して１ページを大きく表示する詳細優先モードで、ページ編集要求であると１ページ分の大きさを縮小して多くのページを表示する枚数優先モードで、プレビュー表示する。
【０１８６】
なお、本実施の形態に係る電子機器は、印刷設定に関する複数種類のコマンド（画像編集、ページ編集）が提供され、ユーザが特別に設定することなく、ユーザが要求した印刷設定の変更要求に合致したプレビュー画面を表示させるようなカスタマイズを、容易に行なうことのできる操作機器を備えた装置でありさえすればよい。印刷設定の変更要求に合致したプレビューとは、印刷設定の変更を確認しやすいプレビューである。
【０１８７】
画像形成装置（図１〜図３）については、上述した第１の実施の形態と同じであるため、ここでの詳細な説明は繰返さない。
【０１８８】
本実施の形態に係る画像形成装置１５０は、ＣＰＵ３００で実行されるプログラムの制御構造が、上述した第１の実施の形態および第２の実施の形態と異なる。それ以外については上述した第１の実施の形態または第２の実施の形態と同じである。それらの構造および作用は上述した第１の実施の形態または第２の実施の形態と同じであるため、ここでの詳細な説明は繰返さない。
【０１８９】
［ソフトウェア構成］
図２１は、本実施の形態に係る画像形成装置１５０で実行されるプログラムの制御構造を示すフローチャートである。この図２１に示すフローチャートは、第１の実施の形態の変形例における図１０のフローチャートに対応する。図２１に示すフローチャートにおけるステップで、図１０に示したフローチャートと同じ処理については同じステップ番号を付してある。それらの処理は同じであるので、それらについての説明はここでは繰返さない。
【０１９０】
上述した第１の実施の形態および第２の実施の形態と同じように、画像形成装置１５０のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【０１９１】
図２１を参照して、Ｓ３０００にて、ＣＰＵ３００は、ユーザによるジェスチャーは、単数ページに対する画像編集要求であるか否かを判定する。なお、このとき、ＣＰＵ３００は、Ｓ１０２０における入力軌跡の分析結果に基づいて判定する。Ｓ１０２０においては、ユーザによる入力軌跡が、ページ拡大／縮小（ピンチイン／ピンチアウト）、ページ回転（指先を回転）およびエリア指定消去（指先で領域指定）に対応している場合には、単数ページに対する画像編集要求であると、ページ削除（ごみ箱アイコンまでドラッグ）、ページ順番入替（移動先までドラッグ）に対応している場合には、複数のページに対するページ編集要求であると、分析している。ユーザによるジェスチャーは、単数ページに対する画像編集要求であると判定されると（Ｓ３０００にてＹＥＳ）、処理はＳ３０１０へ移される。もしそうでないと（Ｓ３０００にてＮＯ）、この処理はＳ３０３０へ移される。
【０１９２】
Ｓ３０１０にて、ＣＰＵ３００は、入力されたジェスチャーに従い（ここではこのジェスチャーは単数ページに対する画像編集要求を意味するものである）、印刷設定を変更する。
【０１９３】
Ｓ３０２０にて、ＣＰＵ３００は、プレビュー表示を、表示されるページ数を削減してでも１ページを大きく表示する詳細優先モードへ変更する。その後、この処理はＳ３０６０へ移される。
【０１９４】
Ｓ３０３０にて、ＣＰＵ３００は、ユーザによるジェスチャーは、複数ページに対するページ編集要求であるか否かを判定する。ユーザによるジェスチャーは、複数ページに対するページ編集要求であると判定されると（Ｓ３０３０にてＹＥＳ）、処理はＳ３０４０へ移される。もしそうでないと（Ｓ３０３０にてＮＯ）、この処理はＳ１０１０へ戻される。
【０１９５】
Ｓ３０４０にて、ＣＰＵ３００は、入力されたジェスチャーに従い（ここではこのジェスチャーは複数ページに対するページ編集要求を意味するものである）、印刷設定を変更する。
【０１９６】
Ｓ３０５０にて、ＣＰＵ３００は、プレビュー表示を、１ページ分の大きさを縮小してでも多くのページを表示する枚数優先モードへ変更する。その後、この処理はＳ３０６０へ移される。
【０１９７】
Ｓ３０６０にて、ＣＰＵ３００は、変更された印刷設定に従いプレビュー表示を変更して、タッチパネルディスプレイ１７２に表示する。その後、この処理はＳ１１１０へ移される。
【０１９８】
［動作］
以上のような構造およびフローチャートに基づく、本実施の形態に係る画像形成装置１５０の動作について、図２２および図２３に示すタッチパネルディスプレイ１７２の表示例を用いて説明する。
【０１９９】
・ジェスチャー操作による印刷設定変更動作（ページ拡大）
この動作の説明においては、表示モードが標準モードで印刷設定画面がタッチパネルディスプレイ１７２に表示されているとする。
【０２００】
このようにタッチパネルディスプレイ１７２に印刷設定画面が表示されている場合において、図２２（Ａ）に示すように、プレビュー表示された３ページの中の真ん中のページがプレビューされた位置をユーザがピンチアウト（ピンチオープン）すると（Ｓ１０１０にてＹＥＳ）、入力軌跡が分析される（Ｓ１０２０）。このとき、このユーザによるジェスチャー操作はそのページの印刷設定を拡大コピーに変更する要求であると分析される。このジャスチャーは、印刷設定の変更要求であるので（Ｓ１５００にてＹＥＳ）、その要求は単数ページに対する画像編集要求であるか否かが判定される（Ｓ３０００）。このとき、ユーザは図２２（Ａ）に示すように、プレビュー画像においてピンチアウト（ピンチオープン）するジェスチャー操作を行なったので、ジャスチャーによる印刷設定の変更要求は、単数ページに対する画像編集要求であると判定される（Ｓ３０００にてＹＥＳ）。
【０２０１】
入力されたジェスチャー操作に従って、真ん中のページの印刷設定が拡大コピーに変更され（Ｓ３０１０）、プレビュー表示が詳細優先モードへ変更される（Ｓ３０２０）。この詳細優先モードで、変更された印刷設定に従いプレビュー表示が変更されて表示される（Ｓ３０６０）。このとき、タッチパネルディスプレイ１７２には、図２２（Ｂ）に示す画面が表示される。
【０２０２】
図２２（Ａ）から図２２（Ｂ）へ画面が遷移することにより、コピーモードの印刷設定画面における機能選択用のテキストボタンがアイコンボタンへ変更されて、プレビュー画像の表示領域が大きくなる。図２２（Ａ）と図２２（Ｂ）とを比較すると、左ページおよび右ページは、同じ大きさの記録用紙および同じ大きさの原稿文字により表現されたプレビューであり、真ん中のページは、同じ大きさの記録用紙であるが、図２２（Ｂ）では拡大された原稿文字により表現されたプレビューである。このように、真ん中のページの印刷設定が拡大コピーに変更されているので、図２２（Ｂ）に示すように、記録用紙の枠線（実線で示す）よりも原稿領域（点線で示す）が大きい。なお、このときの拡大コピーの拡大率は、たとえば、ユーザがピンチアウト（ピンチオープン）した幅に基づいて設定される。また、このとき、図２２（Ｂ）に示すように、拡大率（ここでは「１５０％」）を表示することも好ましい。さらに、図２２（Ｂ）に示すように、拡大された原稿を指先でドラッグすることにより、記録用紙に対する拡大された原稿の位置を変更するようにすることも好ましい。このドラッグにより、拡大された原稿のどの部分を印刷するのかが設定できる。
【０２０３】
このように動作することにより、単数ページを変更の対象としたコマンドがジェスチャー操作で指定された場合には、標準モードからアイコンモードへ表示モードが変更されることにより拡大されたプレビュー表示領域に、ページ数を削減して印刷設定を変更する対象の１ページが大きく表示される。
【０２０４】
このようにして、ユーザのジェスチャー操作により、印刷設定が変更されて、表示モードが変更されて、プレビュー画像が拡大して表示されるときに、指定したコマンドに対応させて１ページ分を大きく表示する。このため、ユーザは、プレビュー画像を用いて印刷設定を容易に確認することができる。
【０２０５】
・ジェスチャー操作による印刷設定変更動作（ページ順番入替）
この動作の説明においても、表示モードが標準モードで印刷設定画面がタッチパネルディスプレイ１７２に表示されているとする。
【０２０６】
このようにタッチパネルディスプレイ１７２に印刷設定画面が表示されている場合において、図２３（Ａ）に示すように、プレビュー表示された３ページの中の真ん中のページがプレビューされた位置をユーザが右側へドラッグして、３ページの中の右側のページがプレビューされた位置をユーザが左側へドラッグすると（Ｓ１０１０にてＹＥＳ）、入力軌跡が分析される（Ｓ１０２０）。このとき、このユーザによるジェスチャー操作はその２ページ目と３ページ目とを入れ替える要求であると分析される。このジャスチャーは、印刷設定の変更要求であり（Ｓ１５００にてＹＥＳ）、その要求は単数ページに対する画像編集要求でないので（Ｓ３０００にてＮＯ）、その要求は複数ページに対するページ編集要求であるか否かが判定される（Ｓ３０３０）。このとき、ユーザは図２３（Ａ）に示すように、プレビュー画像において２ページ目と３ページ目とを入れ替えるようにドラッグするジェスチャー操作を行なったので、ジャスチャーによる印刷設定の変更要求は、複数ページに対するページ編集要求であると判定される（Ｓ３０３０にてＹＥＳ）。なお、３ページの中の真ん中のページ（２ページ目）がプレビューされた位置を、ユーザが３ページの中の右側のページ（３ページ目）のさらに右側へドラッグすると（自動的に３ページ目が左側へ移動して）、このユーザによるジェスチャー操作はその２ページ目と３ページ目とを入れ替える要求であると分析されるようにしても構わない。
【０２０７】
入力されたジェスチャー操作に従って、２ページ目と３ページ目とが入れ替えられるコピーに変更され（Ｓ３０４０）、プレビュー表示が枚数優先モードへ変更される（Ｓ３０５０）。この枚数優先モードで、変更された印刷設定に従いプレビュー表示が変更されて表示される（Ｓ３０６０）。このとき、タッチパネルディスプレイ１７２には、図２３（Ｂ）に示す画面が表示される。
【０２０８】
図２３（Ａ）から図２３（Ｂ）へ画面が遷移することにより、コピーモードの印刷設定画面における機能選択用のテキストボタンがアイコンボタンへ変更されて、プレビュー画像の表示領域が大きくなる。図２３（Ａ）と図２３（Ｂ）とを比較すると、図２３（Ａ）においては３ページ分しかプレビュー表示されていないのに対して、図２３（Ｂ）においては１０ページ分がプレビュー表示されている。
【０２０９】
このように動作することにより、複数ページを変更の対象としたコマンドがジェスチャー操作で指定された場合には、標準モードからアイコンモードへ表示モードが変更されることにより拡大されたプレビュー表示領域に、１ページを小さく表示してページ数を増加させて表示される。
【０２１０】
このようにして、ユーザのジェスチャー操作により、印刷設定が変更されて、表示モードが変更されて、プレビュー画像が拡大して表示されるときに、指定したコマンドに対応させて多くのページを表示する。このため、ユーザは、プレビュー画像を用いて印刷設定を容易に確認することができる。
【０２１１】
以上のようにして、本実施の形態に係る画像形成装置によると、ユーザが指定した印刷設定が確認しやすいプレビューが表示できるように、プレビュー表示についてのモードを自動的に変更する。このため、ユーザはプレビュー表示についてのモード切換え操作を行なうことなく、容易に印刷設定を確認することのできるプレビュー画像を見ることができる。
【０２１２】
なお、本実施の形態においても、前述の実施の形態と同様に、アイコンボタンまたはテキストボタンをタッチすることにより、印刷設定を変更することもできる。
【０２１３】
さらに、第１の実施の形態および第３の実施の形態において、第２の実施の形態において説明したメニューモードを加えて３つの表示モードを切り換えるようにしても構わない。
【０２１４】
さらに、第２の実施の形態および第３の実施の形態においては、プレビュー表示の変更要求ではなく印刷設定の変更要求を、タッチ操作またはジェスチャー操作により行なう態様について説明したが、第２の実施の形態および第３の実施の形態においても第１の実施の形態（変形例ではない）と同じように、タッチ操作またはジェスチャー操作によりプレビュー表示の変更要求を行なう態様であっても構わない。
【０２１５】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０２１６】
１５０  画像形成装置
１７０  操作ユニット
１７２  タッチパネルディスプレイ
１７２Ａ  表示パネル
１７２Ｂ  タッチパネル
１７４  表示操作部
１７４Ａ  表示灯
１７４Ｂ  電源キー
１７４Ｃ  省エネキー
１７４Ｄ  ホームキー
３００  ＣＰＵ
３０２  ＨＤＤ
３０４  ネットワークインターフェイス
３０６  ＲＯＭ
３０８  ＲＡＭ
３１０  バス
【図１】
2011170574.tif 000003
【図２】
2011170574.tif 000004
【図３】
2011170574.tif 000005
【図４】
2011170574.tif 000006
【図５】
2011170574.tif 000007
【図６】
2011170574.tif 000008
【図７】
2011170574.tif 000009
【図８】
2011170574.tif 000010
【図９】
2011170574.tif 000011
【図１０】
2011170574.tif 000012
【図１１】
2011170574.tif 000013
【図１２】
2011170574.tif 000014
【図１３】
2011170574.tif 000015
【図１４】
2011170574.tif 000016
【図１５】
2011170574.tif 000017
【図１６】
2011170574.tif 000018
【図１７】
2011170574.tif 000019
【図１８】
2011170574.tif 000020
【図１９】
2011170574.tif 000021
【図２０】
2011170574.tif 000022
【図２１】
2011170574.tif 000023
【図２２】
2011170574.tif 000024
【図２３】
2011170574.tif 000025
【手続補正書】
【提出日】平成23年3月4日(2011.3.4)
【手続補正１】
【補正対象書類名】明細書
【補正対象項目名】００５０
【補正方法】変更
【補正の内容】
【００５０】
画像形成装置１５０においては、原稿載置台に置かれた原稿が原稿読取部１５２により画像データとして読取られ、読取られた画像データが図３に示すマイクロコンピュータ等から構成されるＣＰＵ（Ｃｅｎｔｒａｌ  Ｐｒｏｃｅｓｓｉｎｇ  Ｕｎｉｔ）３００に入力され、ここで画像データに各種の画像処理が施され、この画像データが画像形成部１５４へと出力される。
【手続補正２】
【補正対象書類名】明細書
【補正対象項目名】００７０
【補正方法】変更
【補正の内容】
【００７０】
［画像形成装置：制御ブロック構成］
図３を参照して、画像形成装置１５０はさらに、コピーモード、ファクシミリモードおよびスキャナモードに関する機能の設定が可能な操作ユニット１７０と、プログラム等を記憶するためのＲＯＭ（Ｒｅａｄ  Ｏｎｌｙ  Ｍｅｍｏｒｙ）３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【手続補正３】
【補正対象書類名】明細書
【補正対象項目名】０１２４
【補正方法】変更
【補正の内容】
【０１２４】
Ｓ１５４０にて、ＣＰＵ３００は、タッチパネルディスプレイ１７２に表示された設定画面をユーザが操作して印刷設定項目の変更を入力したか否かを判定する。このとき、ＣＰＵ３００は、たとえば、ポップアップ画面に表示された拡大コピー率を示す「２００％」のソフトウェアボタンがダブルタップされると、変更が入力されたと判定する。印刷設定項目の変更が入力されたと判定されると（Ｓ１５４０にてＹＥＳ）、処理はＳ１５５０へ移される。もしそうでないと（Ｓ１５４０にてＮＯ）、この処理はＳ１１１０へ移される。
【手続補正４】
【補正対象書類名】明細書
【補正対象項目名】０１２９
【補正方法】変更
【補正の内容】
【０１２９】
このようにタッチパネルディスプレイ１７２に印刷設定画面が表示されている場合において、図１１（Ａ）に示すように、プレビュー表示された３ページの中の真ん中のページがプレビューされた位置をユーザがピンチアウト（ピンチオープン）すると（Ｓ１０１０にてＹＥＳ）、入力軌跡が分析される（Ｓ１０２０）。このとき、このユーザによるジェスチャー操作はそのページの印刷設定を拡大コピーに変更する要求であると分析される。このジャスチャーは、表示モード変更要求でないので（Ｓ１０３０にてＮＯ）、ジャスチャーによる印刷設定の変更要求であるか否かが判定される（Ｓ１５００）。このとき、ユーザは図１１（Ａ）に示すように、プレビュー画像においてピンチアウト（ピンチオープン）するジェスチャー操作を行なったので、ジャスチャーによる印刷設定の変更要求であると判定される（Ｓ１５００にてＹＥＳ）。
【手続補正５】
【補正対象書類名】明細書
【補正対象項目名】０１３５
【補正方法】変更
【補正の内容】
【０１３５】
・タッチ操作による印刷設定変更動作
図５に示すように、表示モードが標準モードで印刷設定画面がタッチパネルディスプレイ１７２に表示されている場合に、プレビュー表示された３ページの中の真ん中のページの位置をユーザがタッチした後に（印刷設定を変更する対象のページを選択した後に）、「ページ拡大／縮小」のテキストボタンをタッチすると（Ｓ１０１０にてＹＥＳ）、入力軌跡が分析される（Ｓ１０２０）。このとき、このユーザによる一連のタッチ操作はそのページの印刷設定を拡大／縮小コピーに変更する要求であると分析される。このジャスチャーは、表示モード変更要求でなく（Ｓ１０３０にてＮＯ）、印刷設定の変更要求でもないので（Ｓ１５００にてＮＯ）、タッチによる印刷設定の変更要求であるか否かが判定される（Ｓ１５２０）。このとき、ユーザは、図１２に示すように、プレビュー画像において印刷設定を変更するページをタッチして選択して（図１２においては選択状態を二重枠線で示す、以下同じ）、「ページ拡大／縮小」のテキストボタンをタッチしたので、タッチによる印刷設定の変更要求であると判定される（Ｓ１５２０にてＹＥＳ）。
【手続補正６】
【補正対象書類名】明細書
【補正対象項目名】０１３６
【補正方法】変更
【補正の内容】
【０１３６】
「ページ拡大／縮小」のテキストボタンの近傍にポップアップ形式で、タッチされた「ページ拡大／縮小」についての設定画面５８０が表示される（Ｓ１５３０）。設定画面５８０の「２００％」のソフトウェアボタンをユーザがダブルタップすると、変更が入力されたと判定される（Ｓ１５４０にてＹＥＳ）。
【手続補正７】
【補正対象書類名】明細書
【補正対象項目名】０１５５
【補正方法】変更
【補正の内容】
【０１５５】
Ｓ２０２０にて、ＣＰＵ３００は、タッチパネルディスプレイ１７２に表示された設定メニュー画面をユーザが操作して印刷設定項目の変更の入力が完了したか否かを判定する。このとき、ＣＰＵ３００は、たとえば、設定メニュー画面に表示された「設定完了」のソフトウェアボタンがダブルタップされると、変更の入力が完了したと判定する。印刷設定項目の変更の入力が完了したと判定されると（Ｓ２０２０にてＹＥＳ）、処理はＳ２０３０へ移される。もしそうでないと（Ｓ２０２０にてＮＯ）、この処理はＳ２０２０へ戻される。
【手続補正８】
【補正対象書類名】明細書
【補正対象項目名】０１６４
【補正方法】変更
【補正の内容】
【０１６４】
たとえば、設定メニュー画面に表示された、ページ拡大／縮小の「２００％」をタッチして、ページ回転の「９０゜」をタッチして、「設定完了」のソフトウェアボタンをダブルタップすると、変更の入力が完了したと判定される（Ｓ２０２０にてＹＥＳ）。設定メニュー画面を用いて入力されたユーザの操作に従い印刷設定が変更され（Ｓ２０３０）、変更された印刷設定に従ってプレビュー表示が変更される（Ｓ２０４０）。
【手続補正９】
【補正対象書類名】明細書
【補正対象項目名】０１７２
【補正方法】変更
【補正の内容】
【０１７２】
図１８（Ａ）から図１８（Ｂ）へ画面が遷移することにより、コピーモードの印刷設定画面における表示モードが標準モードからアイコンモードへ変更され、機能選択用のテキストボタンがアイコンボタンへ変更されて、プレビュー画像を表示する領域が広がる（ここでは図９と異なり同じ大きさのページを多くプレビュー表示すると想定）。